(57)【特許請求の範囲】
【請求項１】
基地局（ＢＳ）と移動局（ＭＳ）との間の通信中に、該ＢＳ及び該ＭＳにそれぞれ関連するダウンリンク（ＤＬ）ステータス及びアップリンク（ＵＬ）ステータスを使用して、省電力のために該ＢＳと該ＭＳとのうちの少なくとも一つを初期化することと、
前記ＤＬステータス及び前記ＵＬステータスの両方が無音期間を示す場合に、第１のＰＳＣのモードに入ることと、
前記ＤＬステータスと前記ＵＬステータスとのうちの少なくとも一つが通話期間を示す場合に、第２のＰＳＣのモードに入ることを含むことを特徴とする方法。
【請求項２】
基地局（ＢＳ）と移動局（ＭＳ）との間の通信中に、該ＢＳ又は該ＭＳのうちの少なくとも一つに関連するダウンリンク（ＤＬ）ステータス及びアップリンク（ＵＬ）ステータスを使用するハイブリッド省電力モードに、該ＢＳ又は該ＭＳのうちの前記少なくとも一つを初期化することと、ここで、該ＤＬステータスは、関連するダウンリンクのステータスを示し、該ＵＬステータスは、関連するアップリンクのステータスを示す、
前記ＤＬステータス及び前記ＵＬステータスの両方が無音期間を示すことに基づいて、第１の省電力クラス（ＰＳＣ）モードに入ることと、ここで、前記ＢＳ又は前記ＭＳのうちの前記少なくとも一つが無音挿入記述子（ＳＩＤ）フレームを送受信するときに、前記ＤＬステータス及び前記ＵＬステータスの両方が前記無音期間を示す、
前記ＤＬステータス又は前記ＵＬステータスのうちの少なくとも一つが通話期間を示すことに基づいて、第２のＰＳＣのモードに入ることを含むことを特徴とする方法。
【請求項３】
初期化することは、
ボイスオーバーインターネットプロトコル（ＶｏＩＰ）が要求されたかどうかを判定することと、
省電力モード（ＰＳＭ）が要求されたどうかを判定することと、
前記ＶｏＩＰが要求されたと判定すること及びＰＳＭが要求されたと判定することに応答して、前記ＤＬステータス及び前記ＵＬステータスの両方を、前記通話期間を示すようにセットすることを特徴とする請求項２に記載の方法。
【請求項４】
前記第１のＰＳＣのモードに入ることは、
第１の省電力モード（ＰＳＭ）プロトコルに従って、スリープインターバル及びリスニングインターバルを維持することと、
前記ＤＬステータス又は前記ＵＬステータスのうちの少なくとも一つをアップデートすることと、
前記ＤＬステータス及び前記ＵＬステータスの両方が前記無音期間を示すことに応答して、前記第１のＰＳＭプロトコルに従って、前記スリープインターバル及び前記リスニングインターバルを維持することと、
前記ＤＬステータス又は前記ＵＬステータスのうちの少なくとも一つが前記通話期間を示すことに応答して、前記第１のＰＳＣモードから抜け出し、前記第２のＰＳＣのモードに入ることを含むことを特徴とする請求項２に記載の方法。
【請求項５】
前記ＤＬステータス又は前記ＵＬステータスのうちの少なくとも一つをアップデートすることは、
受信若しくは送信されたＳＩＤフレーム又は受信若しくは送信されたボイスパケットをバッファすることと、
前記受信若しくは送信されたボイスパケットをバッファすることに応答して、前記ＢＳでの又は前記ＭＳでの前記ＤＬステータス又は前記ＵＬステータスのうちの一つを、前記通話期間を示すようにアップデートすることと、
前記リスニングインターバル中に、前記バッファされ受信若しくは送信されたＳＩＤフレーム又は前記バッファされ受信若しくは送信されたボイスパケットを送信することを含むことを特徴とする請求項４に記載の方法。
【請求項６】
前記ＢＳでの前記ＤＬステータス又は前記ＵＬステータスのうちの一つをアップデートすることは、
前記ＢＳが前記ボイスパケットを送信することに応答して、前記ＤＬステータスを、前記通話期間を示す通話状態にセットすることと、
前記ＢＳが、ＭＳが送信したボイスパケットを受信することに応答して、前記ＵＬステータスを、前記通話状態にセットすることを含むことを特徴とする請求項５に記載の方法。
【請求項７】
前記ＭＳでの前記ＤＬステータス又は前記ＵＬステータスのうちの一つをアップデートすることは、
前記ＭＳが前記ボイスパケットを送信することに応答して、前記ＤＬステータスを、前記通話期間を示す通話状態にセットすることと、
前記ＭＳが、ＢＳが送信したボイスパケットを受信することに応答して、前記ＵＬステータスを、前記通話状態にセットすることを含むことを特徴とする請求項５に記載の方法。
【請求項８】
前記第２のＰＳＣのモードに入ることは、
第２の省電力モード（ＰＳＭ）プロトコルに従って、スリープインターバル及びリスニングインターバルを維持することと、
前記ＤＬステータス又は前記ＵＬステータスのうちの少なくとも一つをアップデートすることと、
前記ＤＬステータス又は前記ＵＬステータスのうちの少なくとも一つが前記通話期間を示すことに応答して、前記第２のＰＳＭプロトコルに従って、前記スリープインターバル及び前記リスニングインターバルを維持することと、
前記ＤＬステータス及び前記ＵＬステータスの両方が前記無音期間を示すことに応答して、前記第２のＰＳＣモードから抜け出し、前記第１のＰＳＣのモードに入ることを含むことを特徴とする請求項２に記載の方法。
【請求項９】
前記ＤＬステータス又は前記ＵＬステータスのうちの少なくとも一つをアップデートすることは、
前記ＢＳでの又は前記ＭＳでの前記ＤＬステータス又は前記ＵＬステータスのうちの少なくとも一つをアップデートすることを含むことを特徴とする請求項８に記載の方法。
【請求項１０】
前記ＢＳでの前記ＤＬステータス又は前記ＵＬステータスのうちの少なくとも一つをアップデートすることは、
前記ＢＳが前記ＳＩＤフレームを送信することに応答して、前記ＤＬステータスを、前記無音期間を示す無音状態にセットすることと、
前記ＢＳが前記ＳＩＤフレームを前記ＭＳから受信することに応答して、前記ＵＬステータスを、前記無音状態にセットすることと、
前記ＢＳがボイスパケットを送信することに応答して、前記ＤＬステータスを、前記通話期間を示す通話状態にセットすることと、
前記ＢＳがボイスパケットを前記ＭＳから受信することに応答して、前記ＵＬステータスを、前記通話状態にセットすることを含むことを特徴とする請求項９に記載の方法。
【請求項１１】
前記ＭＳでの前記ＤＬステータス又は前記ＵＬステータスのうちの少なくとも一つをアップデートすることは、
前記ＭＳが前記ＳＩＤフレームを前記ＢＳから受信することに応答して、前記ＤＬステータスを、前記無音期間を示す無音状態にセットすることと、
前記ＭＳが前記ＳＩＤフレームを送信することに応答して、前記ＵＬステータスを、前記無音状態にセットすることと、
前記ＭＳがボイスパケットを前記ＢＳから受信することに応答して、前記ＤＬステータスを、前記通話期間を示す通話状態にセットすることと、
前記ＭＳがボイスパケットを送信することに応答して、前記ＵＬステータスを、前記通話状態にセットすることを特徴とする請求項９に記載の方法。
【請求項１２】
前記第１のＰＳＣモードは、ベストエフォート（ＢＥ）又は非リアルタイム可変レート（ＮＲＴ−ＶＲ）コネクションのうちの少なくとも一つをサポートし、前記第２のＰＳＣモードは、アンソリシテッド・グラント・サービス（ＵＧＳ）、リアルタイム可変レート（ＲＴ−ＶＲ）、又は拡張リアルタイム可変レート（ＥＲＴ−ＶＲ）コネクションのうちの少なくとも一つをサポートすることを特徴とする請求項２に記載の方法。
【請求項１３】
前記第１のＰＳＣモードは、ＩＥＥＥ ８０２．１６ｅ標準に従うＰＳＣ type Iに対応し、前記第２のＰＳＣモードは、前記ＩＥＥＥ ８０２．１６ｅ標準に従うＰＳＣ type IIに対応することを特徴とする請求項２に記載の方法。
【請求項１４】
基地局（ＢＳ）と移動局（ＭＳ）との間の通信中に、該ＢＳ又は該ＭＳのうちの少なくとも一つに関連するダウンリンク（ＤＬ）ステータス及びアップリンク（ＵＬ）ステータスを使用するハイブリッド省電力モードに、該ＢＳ又は該ＭＳのうちの前記少なくとも一つを初期化するように構成されたイニシャライザと、ここで、該ＤＬステータスは、関連するダウンリンクのステータスを示し、該ＵＬステータスは、関連するアップリンクのステータスを示す、
前記ＤＬステータス及び前記ＵＬステータスの両方が無音期間を示すことに基づいて、第１の省電力クラス（ＰＳＣ）モードをアクティブにするように構成され、前記イニシャライザに結合された、第１のコントローラと、ここで、前記ＢＳ又は前記ＭＳのうちの前記少なくとも一つが無音挿入記述子（ＳＩＤ）フレームを送受信するときに、前記ＤＬステータス及び前記ＵＬステータスの両方が前記無音期間を示す、
前記ＤＬステータス又は前記ＵＬステータスのうちの少なくとも一つが通話期間を示すことに基づいて、第２のＰＳＣのモードをアクティブにするための前記イニシャライザに結合された第２のコントローラとを含むことを特徴とする装置。
【請求項１５】
前記イニシャライザ（initializer）は、ボイスオーバーインターネットプロトコル（ＶｏＩＰ）及び省電力モード（ＰＳＭ）の両方が要求されたことに応答して、前記ＤＬステータス及び前記ＵＬステータスの両方を、前記通話期間を示すようにセットすることを特徴とする請求項１４に記載の装置。
【請求項１６】
前記第１のコントローラは、
前記ＤＬステータス及び前記ＵＬステータスの両方が前記無音期間を示すことに応答して、第１の省電力モード（ＰＳＭ）プロトコルに従って、スリープインターバル及びリスニングインターバルを維持するように構成された維持モジュールと、
前記ＤＬステータス及び前記ＵＬステータスのうちの少なくとも一つをアップデートするように構成されたアップデーターとを含むことを特徴とする請求項１４に記載の装置。
【請求項１７】
前記第２のコントローラは、
前記ＤＬステータス又は前記ＵＬステータスのうちの少なくとも一つが前記通話期間を示すことに応答して、第２の省電力モード（ＰＳＭ）プロトコルに従って、スリープインターバル及びリスニングインターバルを維持するように構成された維持モジュールと、
前記ＤＬステータス及び前記ＵＬステータスのうちの少なくとも一つをアップデートするように構成されたアップデーターとを含むことを特徴とする請求項１４に記載の装置。
【請求項１８】
前記アップデーターは、
前記ＳＩＤフレーム又はボイスパケットをバッファするように構成されたバッファと、
前記ボイスパケットがバッファされたことに応答して、前記ＢＳでの又は前記ＭＳでの前記ＤＬステータス又は前記ＵＬステータスのうちの少なくとも一つをアップデートするように構成されたステータスアップデーターと、
前記リスニングインターバル中に、前記バッファされたＳＩＤフレーム又は前記バッファされたボイスパケットを送信するために前記バッファに結合される送信機とを含むことを特徴とする請求項１６に記載の装置。
【請求項１９】
機械読み取り可能な媒体を含む製品において、
前記機械読み取り可能な媒体は、
基地局（ＢＳ）と移動局（ＭＳ）との間の通信中に、該ＢＳ又は該ＭＳのうちの少なくとも一つに関連するダウンリンク（ＤＬ）ステータス及びアップリンク（ＵＬ）ステータスを使用するハイブリッド省電力モードに、該ＢＳ又は該ＭＳのうちの前記少なくとも一つを初期化することと、ここで、該ＤＬステータスは、関連するダウンリンクのステータスを示し、該ＵＬステータスは、関連するアップリンクのステータスを示す、
前記ＤＬステータス及び前記ＵＬステータスの両方が無音期間を示すことに基づいて、第１の省電力クラス（ＰＳＣ）モードに入ることと、ここで、前記ＢＳ又は前記ＭＳのうちの前記少なくとも一つが無音挿入記述子（ＳＩＤ）フレームを送受信するときに、前記ＤＬステータス及び前記ＵＬステータスの両方が前記無音期間を示す、
前記ＤＬステータス又は前記ＵＬステータスのうちの少なくとも一つが通話期間を示すことに基づいて、第２のＰＳＣのモードに入ること、
を含むオペレーションを、機械にアクセスされた場合に該機械に実行させるデータを含むことを特徴とする製品。
【請求項２０】
前記機械に初期化することを実行させる前記データは、
ボイスオーバーインターネットプロトコル（ＶｏＩＰ）が要求されたかどうかを判定することと、
省電力モード（ＰＳＭ）が要求されたどうかを判定することと、
前記ＶｏＩＰが要求されたと判定すること及びＰＳＭが要求されたと判定することに応答して、前記ＤＬステータス及び前記ＵＬステータスの両方を、前記通話期間を示すようにセットすることを含むオペレーションを、機械にアクセスされた場合に該機械に実行させるデータを含むことを特徴とする請求項１９に記載の製品。
【請求項２１】
前記機械に前記第１のＰＳＣのモードに入ることを実行させる前記データは、
第１の省電力モード（ＰＳＭ）プロトコルに従って、スリープインターバル及びリスニングインターバルを維持することと、
前記ＤＬステータス又は前記ＵＬステータスのうちの少なくとも一つをアップデートすることと、
前記ＤＬステータス及び前記ＵＬステータスの両方が前記無音期間を示すことに応答して、前記第１のＰＳＭプロトコルに従って、前記スリープインターバル及び前記リスニングインターバルを維持することと、
前記ＤＬステータス又は前記ＵＬステータスのうちの少なくとも一つが前記通話期間を示すことに応答して、前記第１のＰＳＣモードから抜け出し、前記第２のＰＳＣのモードに入ることを含むオペレーションを、機械にアクセスされた場合に該機械に実行させるデータを含むことを特徴とする請求項１９に記載の製品。
【請求項２２】
前記機械に前記ＤＬステータス又は前記ＵＬステータスのうちの少なくとも一つをアップデートすることを実行させる前記データは、
受信若しくは送信されたＳＩＤフレーム又は受信若しくは送信されたボイスパケットをバッファすることと、
前記受信若しくは送信されたボイスパケットをバッファすることに応答して、前記ＢＳでの又は前記ＭＳでの前記ＤＬステータス又は前記ＵＬステータスのうちの一つを、前記通話期間を示すようにアップデートすることと、
前記リスニングインターバル中に、前記バッファされ受信若しくは送信されたＳＩＤフレーム又は前記バッファされ受信若しくは送信されたボイスパケットを送信することを含むオペレーションを、機械にアクセスされた場合に該機械に実行させるデータを含むことを特徴とする請求項２１に記載の製品。
【請求項２３】
前記機械に前記第２のＰＳＣのモードに入ることを実行させる前記データは、
第２の省電力モード（ＰＳＭ）プロトコルに従って、スリープインターバル及びリスニングインターバルを維持することと、
前記ＤＬステータス又は前記ＵＬステータスのうちの少なくとも一つをアップデートすることと、
前記ＤＬステータス又は前記ＵＬステータスのうちの少なくとも一つが前記通話期間を示すことに応答して、前記第２のＰＳＭプロトコルに従って、前記スリープインターバル及び前記リスニングインターバルを維持することと、
前記ＤＬステータス及び前記ＵＬステータスの両方が前記無音期間を示すことに応答して、前記第２のＰＳＣモードから抜け出し、前記第１のＰＳＣのモードに入ることを含むオペレーションを、機械にアクセスされた場合に該機械に実行させるデータを含むことを特徴とする請求項１９に記載の製品。
【請求項２４】
基地局（ＢＳ）と移動局（ＭＳ）との間の通信中に、該ＢＳ又は該ＭＳのうちの少なくとも一つに関連するダウンリンク（ＤＬ）ステータス及びアップリンク（ＵＬ）ステータスを使用するハイブリッド省電力モードに、該ＢＳ又は該ＭＳのうちの前記少なくとも一つを初期化するための手段と、ここで、該ＤＬステータスは、関連するダウンリンクのステータスを示し、該ＵＬステータスは、関連するアップリンクのステータスを示す、
前記ＤＬステータス及び前記ＵＬステータスの両方が無音期間を示すことに基づいて、第１の省電力クラス（ＰＳＣ）モードに入るための手段と、ここで、前記ＢＳ又は前記ＭＳのうちの前記少なくとも一つが無音挿入記述子（ＳＩＤ）フレームを送受信するときに、前記ＤＬステータス及び前記ＵＬステータスの両方が前記無音期間を示す、
前記ＤＬステータス又は前記ＵＬステータスのうちの少なくとも一つが通話期間を示すことに基づいて、第２のＰＳＣのモードに入るための手段とを含むことを特徴とする装置。
【請求項２５】
前記初期化するための手段は、
ボイスオーバーインターネットプロトコル（ＶｏＩＰ）が要求されたかどうかを判定するための手段と、
省電力モード（ＰＳＭ）が要求されたどうかを判定するための手段と、
前記ＶｏＩＰが要求されたと判定すること及びＰＳＭが要求されたと判定することに応答して、前記ＤＬステータス及び前記ＵＬステータスの両方を、前記通話期間を示すようにセットするための手段とを含むことを特徴とする請求項２４に記載の装置。
【請求項２６】
前記第１のＰＳＣのモードに入るための手段は、
第１の省電力モード（ＰＳＭ）プロトコルに従って、スリープインターバル及びリスニングインターバルを維持するための手段と、
前記ＤＬステータス又は前記ＵＬステータスのうちの少なくとも一つをアップデートするための手段と、
前記ＤＬステータス及び前記ＵＬステータスの両方が前記無音期間を示すことに応答して、前記第１のＰＳＭプロトコルに従って、前記スリープインターバル及び前記リスニングインターバルを維持するための手段と、
前記ＤＬステータス又は前記ＵＬステータスのうちの少なくとも一つが前記通話期間を示すことに応答して、前記第１のＰＳＣモードから抜け出し、前記第２のＰＳＣのモードに入るための手段とを含むことを特徴とする請求項２４に記載の装置。
【請求項２７】
前記ＤＬステータス又は前記ＵＬステータスのうちの少なくとも一つをアップデートするための手段は、
受信若しくは送信されたＳＩＤフレーム又は受信若しくは送信されたボイスパケットをバッファするための手段と、
前記受信若しくは送信されたボイスパケットをバッファすることに応答して、前記ＢＳでの又は前記ＭＳでの前記ＤＬステータス又は前記ＵＬステータスのうちの一つを、前記通話期間を示すようにアップデートするための手段と、
前記リスニングインターバル中に、前記バッファされ受信若しくは送信されたＳＩＤフレーム又は前記バッファされ受信若しくは送信されたボイスパケットを送信するための手段とを含むことを特徴とする請求項２６に記載の装置。
【請求項２８】
前記ＢＳでの前記ＤＬステータス又は前記ＵＬステータスのうちの少なくとも一つをアップデートするための手段は、
前記ＢＳが前記ボイスパケットを送信することに応答して、前記ＤＬステータスを、前記通話期間を示す通話状態にセットするための手段と、
前記ＢＳが、前記ＭＳが送信した前記ボイスパケットを受信することに応答して、前記ＵＬステータスを、前記通話状態にセットするための手段とを含むことを特徴とする請求項２７に記載の装置。
【請求項２９】
前記ＭＳでの前記ＤＬステータス又は前記ＵＬステータスのうちの少なくとも一つをアップデートするための手段は、
前記ＭＳが前記ボイスパケットを送信することに応答して、前記ＤＬステータスを、前記通話期間を示す通話状態にセットするための手段と、
前記ＭＳが、ＢＳが送信したボイスパケットを受信することに応答して、前記ＵＬステータスを、前記通話状態にセットするための手段とを含むことを特徴とする請求項２７に記載の装置。
【請求項３０】
前記第２のＰＳＣのモードに入るための手段は、
第２の省電力モード（ＰＳＭ）プロトコルに従って、スリープインターバル及びリスニングインターバルを維持するための手段と、
前記ＤＬステータス又は前記ＵＬステータスのうちの少なくとも一つをアップデートするための手段と、
前記ＤＬステータス又は前記ＵＬステータスのうちの少なくとも一つが前記通話期間を示すことに応答して、前記第２のＰＳＭプロトコルに従って、前記スリープインターバル及び前記リスニングインターバルを維持するための手段と、
前記ＤＬステータス及び前記ＵＬステータスの両方が前記無音期間を示すことに応答して、前記第２のＰＳＣモードから抜け出し、前記第１のＰＳＣのモードに入るための手段とを含むことを特徴とする請求項２４に記載の装置。
【請求項３１】
前記ＤＬステータス又は前記ＵＬステータスのうちの少なくとも一つをアップデートするための手段は、
前記ＢＳでの又は前記ＭＳでの前記ＤＬステータス又は前記ＵＬステータスのうちの少なくとも一つをアップデートするための手段を含むことを特徴とする請求項３０に記載の装置。
【請求項３２】
前記ＢＳでの前記ＤＬステータス又は前記ＵＬステータスのうちの少なくとも一つをアップデートするための手段は、
前記ＢＳがＳＩＤフレームを送信することに応答して、前記ＤＬステータスを、前記無音期間を示す無音状態にセットするための手段と、
前記ＢＳが前記ＳＩＤフレームを前記ＭＳから受信することに応答して、前記ＵＬステータスを、前記無音状態にセットするための手段と、
前記ＢＳがボイスパケットを送信することに応答して、前記ＤＬステータスを、前記通話期間を示す通話状態にセットするための手段と、
前記ＢＳがボイスパケットを前記ＭＳから受信することに応答して、前記ＵＬステータスを、前記通話状態にセットするための手段とを含むことを特徴とする請求項３１に記載の装置。
【請求項３３】
前記ＭＳでの前記ＤＬステータス及び前記ＵＬステータスのうちの一つをアップデートするための手段は、
前記ＭＳが前記ＳＩＤフレームを前記ＢＳから受信することに応答して、前記ＤＬステータスを、前記無音期間を示す無音状態にセットするための手段と、
前記ＭＳが前記ＳＩＤフレームを送信することに応答して、前記ＵＬステータスを、前記無音状態にセットするための手段と、
前記ＭＳがボイスパケットを前記ＢＳから受信することに応答して、前記ＤＬステータスを、前記通話期間を示す通話状態にセットするための手段と、
前記ＭＳがボイスパケットを送信することに応答して、前記ＵＬステータスを、前記通話状態にセットするための手段とを含むことを特徴とする請求項３１に記載の装置。
【請求項３４】
前記第１のＰＳＣモードは、ベストエフォート（ＢＥ）又は非リアルタイム可変レート（ＮＲＴ−ＶＲ）コネクションのうちの少なくとも一つをサポートし、前記第２のＰＳＣモードは、アンソリシテッド・グラント・サービス（ＵＧＳ）、リアルタイム可変レート（ＲＴ−ＶＲ）、又は拡張リアルタイム可変レート（ＥＲＴ−ＶＲ）コネクションのうちの少なくとも一つをサポートすることを特徴とする請求項２４に記載の装置。
【請求項３５】
前記第１のＰＳＣモードは、ＩＥＥＥ ８０２．１６ｅ標準に従うＰＳＣ type Iに対応し、前記第２のＰＳＣモードは、前記ＩＥＥＥ ８０２．１６ｅ標準に従うＰＳＣ type IIに対応することを特徴とする請求項２４に記載の装置。
【請求項３６】
移動局（ＭＳ）において、
直交周波数分割多元接続（ＯＦＤＭＡ）無線通信において基地局（ＢＳ）へ及びから無線信号を送信及び受信するための無線周波数（ＲＦ）送受信機と、
省電力コントローラとを備え、
前記省電力コントローラは、
ダウンリンク（ＤＬ）ステータス及びアップリンク（ＵＬ）ステータスを使用するハイブリッド省電力モードに、前記ＭＳを初期化するように構成されたイニシャライザと、ここで、該ＤＬステータスは、関連するダウンリンクのステータスを示し、該ＵＬステータスは、関連するアップリンクのステータスを示す、
前記ＤＬステータス及び前記ＵＬステータスの両方が無音期間を示すことに基づいて、第１の省電力クラス（ＰＳＣ）モードをアクティブにするように構成され、前記イニシャライザに結合された、第１のコントローラと、ここで、前記ＢＳが無音挿入記述子（ＳＩＤ）フレームを送受信するときに、前記ＤＬステータス及び前記ＵＬステータスの両方が前記無音期間を示す、
前記ＤＬステータス又は前記ＵＬステータスのうちの少なくとも一つが通話期間を示すことに基づいて、第２のＰＳＣのモードをアクティブにするための前記イニシャライザに結合された第２のコントローラとを含むことを特徴とする移動局。
【請求項３７】
前記第１のコントローラは、
前記ＤＬステータス及び前記ＵＬステータスの両方が前記無音期間を示すことに応答して、第１の省電力モード（ＰＳＭ）プロトコルに従って、スリープインターバル及びリスニングインターバルを維持するように構成された維持モジュールと、
前記ＤＬステータス及び前記ＵＬステータスのうちの一つをアップデートするように構成されたアップデーターとを含むことを特徴とする請求項３６に記載のＭＳ。
【請求項３８】
前記第２のコントローラは、
前記ＤＬステータス又は前記ＵＬステータスのうちの少なくとも一つが前記通話期間を示すことに応答して、第２の省電力モード（ＰＳＭ）プロトコルに従って、スリープインターバル及びリスニングインターバルを維持するように構成された維持モジュールと、
前記ＤＬステータス及び前記ＵＬステータスのうちの一つをアップデートするように構成されたアップデーターとを含むことを特徴とする請求項３６に記載のＭＳ。
【発明の詳細な説明】
【技術分野】
【０００１】
（関連出願の相互参照）
本出願は、２００６年１１月７日付け提出され「Hybrid Power-Saving Mechanism for VoIP Services」と題された米国仮出願第６０／８５７，５２７号の優先権を主張する。
【０００２】
本発明の実施形態は、マイクロ波アクセスのための世界的な相互運用性（Worldwide Interoperability for Microwave Access）（ＷｉＭＡＸ）省電力システムに関する。特に、本発明の実施形態は、モバイルＷｉＭＡＸシステムに関する。
【背景技術】
【０００３】
例えばＧ．７２３．１Ａ、Ｇ．７２９Ｂ、及び３ＧＰＰ適応マルチレート（Adaptive Multi Rate）（ＡＭＲ）のような、現在の強化されたボイスコーデックは、バンド幅の浪費を解消するために、ボイスパケットが無音期間（silent periods）中に送信されることを抑制する無音抑制スキーム（silence suppression scheme）を使用することができる。統計によると、無音期間は、ボイスオーバーインターネットプロトコル（ＶｏＩＰ）コールの全継続時間（duration）の約６０パーセントを占める。それゆえ、移動局（mobile station）（ＭＳ）は、それらの期間中にスリープできれば、より多くのエネルギーを節約することができる。しかしながら、ＶｏＩＰサービスに使用される従来の省電力クラス（Power Saving Class）（ＰＳＣ） IIは、ＶｏＩＰトラフィックの無音期間を考慮していないので、ＭＳは、それがボイスパケットを受信しないにもかかわらず、無音期間中に周期的にウェイクアップしなければならない。
【発明の概要】
【０００４】
本発明の実施形態は、移動通信における省電力のための技術である。基地局（ＢＳ）と移動局（ＭＳ）との間の通信中に、該ＢＳ及び該ＭＳにそれぞれ関連するダウンリンク（ＤＬ）ステータス及びアップリンク（ＵＬ）ステータスを使用して、省電力のために該ＢＳと該ＭＳとのうちの少なくとも一つが初期化される。前記ＤＬステータス及び前記ＵＬステータスの両方が無音期間を示す場合に、第１のＰＳＣのモードに入る。前記ＤＬステータスと前記ＵＬステータスとのうちの少なくとも一つが通話期間を示す場合に、第２のＰＳＣのモードに入る。
【０００５】
本発明の実施形態を説明するために使用される以下の説明及び添付の図面を参照することにより本発明の実施形態はよく理解されるであろう。
【図面の簡単な説明】
【０００６】
【図１】図１は、本発明の一つの実施形態に従うシステムを説明する図である。
【図２】図２は、本発明の一つの実施形態に従う第1の省電力モードを説明するタイミングチャートである。
【図３】図３は、本発明の一つの実施形態に従う第２の省電力モードを説明するタイミングチャートである。
【図４】図４は、本発明の一つの実施形態に従うハイブリッド省電力モードを説明するタイミングチャートである。
【図５】図５は、本発明の一つの実施形態に従う省電力ハイブリッドコントローラを説明する図である。
【図６Ａ】図６Ａは、本発明の一つの実施形態に従う第1のコントローラを説明する図である。
【図６Ｂ】図６Ｂは、本発明の一つの実施形態に従う第２のコントローラを説明する図である。
【図７】図７は、本発明の一つの実施形態に従うパワーをセーブするためのプロセスを説明するためのフローチャートである。
【図８】図８は、本発明の一つの実施形態に従う、初期化するためのプロセスを説明するためのフローチャートである。
【図９Ａ】図９Ａは、本発明の一つの実施形態に従う、第１のＰＳＣモードに入るためのプロセスを説明するためのフローチャートである。
【図９Ｂ】図９Ｂは、本発明の一つの実施形態に従う、第１のＰＳＣモードにおいてＤＬステータスとＵＬステータスとのうちの一つをアップデートするためのプロセスを説明するためのフローチャートである。
【図１０】図１０は、本発明の一つの実施形態に従う、第２のＰＳＣモードに入るためのプロセスを説明するためのフローチャートである。
【図１１】図１１は、本発明の一つの実施形態に従う、第２のＰＳＣモードにおいてＤＬステータスとＵＬステータスとのうちの一つをアップデートするためのプロセスを説明するためのフローチャートである。
【図１２】図１２は、本発明の一つの実施形態に従う、ＢＳでの第２のＰＳＣモードにおいてＤＬステータスとＵＬステータスとのうちの一つをアップデートするためのプロセスを説明するためのフローチャートである。
【図１３】図１３は、本発明の一つの実施形態に従う、ＭＳでの第２のＰＳＣモードにおいてＤＬステータスとＵＬステータスとのうちの一つをアップデートするためのプロセスを説明するためのフローチャートである。
【図１４】図１４は、本発明の一つの実施形態に従う、省電力ハイブリッドコントローラを実施するための処理システムを説明する図である。
【発明を実施するための形態】
【０００７】
本発明の実施形態は、移動通信における省電力のための技術である。
【０００８】
基地局（ＢＳ）と移動局（ＭＳ）との間の通信中に、該ＢＳ及び該ＭＳにそれぞれ関連するダウンリンク（ＤＬ）ステータス及びアップリンク（ＵＬ）ステータスを使用して、省電力のために該ＢＳと該ＭＳとのうちの少なくとも一つが初期化される。前記ＤＬステータス及び前記ＵＬステータスの両方が無音期間を示す場合に、第１のＰＳＣのモードに入る。前記ＤＬステータスと前記ＵＬステータスとのうちの少なくとも一つが通話期間を示す場合に、第２のＰＳＣのモードに入る。
【０００９】
以下の説明において、数々の特定の詳細が説明される。しかしながら、本発明の実施形態は、これら特定の詳細なしに実施しても良いことが理解される。他の例では、この説明の理解があいまいにならないようにするために、周知の回路、構造及び技術は示さなかった。
【００１０】
本発明の一つの実施形態は、通常、フローチャート、フローダイアグラム、構造図、又はブロック図として表現されるプロセスとして説明し得る。フローチャートは、シーケンシャルなプロセスとしてオペレーションを説明できるが、オペレーションの多くは、並列に又は同時に実行することができる。加えて、オペレーションの順序は、再配置することができる。プロセスは、そのオペレーションが完了したときに、終了する。プロセスは、方法、プログラム、プロシージャー、製造（manufacturing）又は制作（fabrication）の方法などに対応する。
【００１１】
図１は、本発明の一つの実施形態に従うシステム１００を説明する図である。システム１００は、基地局（base station）（ＢＳ）１１０及びＮ個の移動局（ＭＳ）１４０１〜１４０Ｎを含む。システム１００が上記より多いコンポーネントを含んでも上記より少ないコンポーネントを含んでも良いことは留意すべきである。
【００１２】
ＢＳ１１０は、無線通信モードにおいて無線周波数（ＲＦ）伝送を経由してＮ個のＭＳ１４０１〜１４０Ｎと通信する、固定位置又は移動位置に設置された局である。無線通信は、マイクロ波アクセスのための世界的な相互運用性（ＷｉＭＡＸ）標準に準拠しても良い。該位置は、過疎地若しくは人口集中地域におけるものであっても良いし、又は、移動体向けのものであっても良い。ＢＳ１１０は、ＢＳ処理ユニット１２０及びＢＳ送信機／受信機１３０を含む。
【００１３】
ＢＳ処理ユニット１２０は、ＢＳオペレーションに必要なコンポーネントを含む。それは、ユニット中の各種のコンポーネントに対してクロックソース又は信号を提供するオシレータを含んでも良い。ユニット中の各種のコンポーネントは、例えば、アナログ・デジタル変換器（ＡＤＣ）、デジタル・アナログ変換器（ＤＡＣ）、及び他の論理回路、あるいは、例えばデジタル・シグナル・プロセッサ（ＤＳＰ）のような、各種の機能を実行し（perform）又はプログラムを実行（execute）するための、１又は複数のプロセッサ、あるいは、自動利得制御（ＡＧＣ）、自動周波数制御（ＡＦＣ）及びチャネル符号化／復号化モジュール又は回路などである。ＢＳ処理ユニットは、省電力制御機構をＢＳ１１０に提供するＢＳ省電力ハイブリッドコントローラ１２５を含む。
【００１４】
ＢＳ送信機／受信機１３０は、ＲＦ信号を送信及び受信する送信ユニット及び受信ユニットを含んでも良い。それは、ハイパワーアンテナを含んでも良い。該アンテナは、タイプ又は地形（terrain）及び要求されるサービスエリア（coverage area）に応じて、屋根、塔又は丘の頂上に取り付けられても良い。
【００１５】
Ｎ個のＭＳ１４０１〜１４０Ｎは、例えば、ハンドセット、携帯電話（cellular phone）、携帯情報端末（ＰＤＡ）、ノートブックコンピュータ、ラップトップコンピュータ、又は無線通信ネットワーク上でＭＳの機能性を実行できる任意のデバイスのような、任意のＭＳデバイスを含んでも良い。Ｎ個のＭＳ１４０１〜１４０Ｎの各々は、ＢＳ１１０により提供される移動通信サービスをサブスクライブ（subscribe）しても良い。Ｎ個のＭＳ１４０１〜１４０Ｎの各々は、直交周波数分割多元接続（orthogonal frequency division multiple access）（ＯＦＤＭＡ）無線通信においてＢＳ１１０からシンボルの系列を運ぶ無線信号を受信する無線周波数（ＲＦ）受信機、省電力ハイブリッドコントローラ１４５ｉ（ｉ ＝ １，…，Ｎ）、フレーム検出同期器（frame detection and synchronizer）、サイクリックプリフィックス（cyclic prefix）（ＣＰ）を取り除くサイクリックプリフィックス（ＣＰ）リムーバ、高速フーリエ変換（ＦＦＴ）を計算する高速フーリエ変換（ＦＦＴ）プロセッサ、チャネルイコライザ、チャネル推定器、符号器、デインターリーバ、及び受信機能を実行するための他の回路又はモジュールを含んでも良い。Ｎ個のＭＳ１４０１〜１４０Ｎの各々はまた、チャネル符号器及びインターリーバ、二位相偏移変調（Binary Phase Shift Keying）（ＢＰＳＫ）マッパー（mapper）、逆ＦＦＴ（ＩＦＦＴ）プロセッサ、サイクリックプリフィックス及び窓掛け処理ユニット、及びＲＦ送信機、並びに送信機能を実行するための他の回路又はモジュールを含んでも良い。
【００１６】
ＢＳ１１０及びＮ個のＭＳ１４０１〜１４０Ｎは、予め定義された通信プロトコル又は通信規格の下で、互いに通信する。一つの実施形態において、通信規格は、米国電気電子学会（ＩＥＥＥ）８０２．１６ｅ標準又は欧州電気通信標準化機構（ＥＴＳＩ）高性能無線メトロポリタンエリアネットワーク（High Performance Radio Metropolitan Area Network）（ＨｉｐｅｒＭＡＮ）１．３．２標準である。ＢＳ省電力ハイブリッドコントローラ１２５及びＭＳ省電力ハイブリッドコントローラｓ１４５ｉは、ＩＥＥＥ ８０２．１６ｅ標準により提供される幾つかの省電力クラスモードを兼ね備えるハイブリッドスキームを使用して、効果的な省電力を提供する。ＢＳ１１０及びＮ個のＭＳ１４０１〜１４０Ｎは、典型的なＷｉＭＡＸシステムにおける、メディアアクセス制御（ＭＡＣ）及び物理レイヤ（ＰＨＹ）機構（features）を含んでも良い。モバイルＷｉＭＡＸシステムは、マルチパス環境のための直交周波数分割多元接続（ＯＦＤＭＡ）スキームを使用する。それは、ＶｏＩＰサービス及び省電力モード（ＰＳＭ）を提供しても良い。ＢＳ１１０又はＮ個のＭＳ１４０１〜１４０Ｎのうちの任意のものにより使用されるハイブリッド省電力スキームは、第１のＰＳＭ及び第２のＰＳＭを兼ね備える。
【００１７】
図２は、本発明の一つの実施形態に従う第1の省電力モード（ＰＳＭ）を説明する２００である。タイミングチャート２００は、ウェイクモード（wake mode）２１０及びスリープモード（sleep mode）２２０を含んでいる。
【００１８】
ウェイクモード２１０は、ＢＳ１１０又はＭＳ１４０が、例えば他のデバイスへ及び／又はからの通信パケットの送信又は受信のような、その通常の機能を実行するところのアクティブ期間（active period）に対応する。スリープモード２２０は、ＢＳ又はＭＳ１４０が、その電力消費を低減するところの省電力期間（power saving period）に対応する。スリープモード２２０は、多くのスリープサイクル２３０ｉ（ｉ ＝ １，…，Ｋ）を含んでも良い。各々のスリープサイクル（sleep cycle）は、スリープインターバル（sleep interval）又は窓（window）２４０ｉ及びリスニングインターバル（listening interval）又は窓２５０ｉを含む。以下において、簡潔にするために、下付き文字“ｉ”は省略されることがある。第１のＰＳＭにより使用される３つのパラメータ、すなわち、最初の又は最小のスリープ時間（sleep time）（Ｔｍｉｎ）、最後の又は最大のスリープ時間（Ｔｍａｘ）、及びリスニング時間（listening time）（ＴＬ）が存在する。これらパラメータは、典型的には、最初の期間（initial period）中に又はそれら通信の開始時にて、他のデバイスと事前交渉（pre-negotiated）される。
【００１９】
スリープインターバル２４０の間、ＢＳ１１０又はＭＳ１４０は、電力消費を低減するために、その回路素子の大部分を、オフにする。これは、より長いオペレーション期間及びバッテリー寿命の増加をもたらす。スリープインターバル２４０の間、ＢＳ１１０又はＭＳ１４０は、データを一つも受信又は送信しなくても良い。リスニングインターバル２５０の間、ＢＳ１１０又はＭＳ１４０は、短いデータ（short data）又はトラフィック表示メッセージ（traffic indication message）を受信するために、それぞれ、ＭＳ１４０又はＢＳ１１０に同期させる。
【００２０】
スリープモードの開始時にて、最初のスリープサイクル２３０１の間、スリープ時間間隔（sleep time interval）Ｔ１ ２４０１は、最小のスリープ時間Ｔｍｉｎに等しい、すなわち、Ｔ１＝Ｔｍｉｎである。スリープ時間間隔Ｔｉの長さは、それが最後の又は最大のスリープ時間Ｔｍａｘを越えずに接近するまで、２倍の指数関数的に増加する（binary exponentially）。最後の又は最大のスリープ時間Ｔｍａｘに達した場合、該デバイスは、このＴｍａｘ値にスリープ時間を維持する。つまり、第ｉのスリープサイクル２３０ｉにおけるスリープ時間間隔は、次のように与えられる。
【数１】
0005425990.tif 000002
【００２１】
一つの実施形態では、第ｉのスリープサイクル２３０ｉにおけるスリープ時間間隔は、次のように（１）から少し修正されたものである。
【数２】
0005425990.tif 000003
【００２２】
リスニングインターバル２５０の間、ＢＳ１１０又はＭＳ１４０は、リスニング時間ＴＬに等しい時間の間、ウェイクアップする。リスニング時間ＴＬは、スリープモード２２０の始めから終わりまで、一定である。それは、およそ一つのＭＡＣフレーム長からなる短いインターバルでも良い。リスニングインターバル２５０の間、デバイス（すなわち、ＢＳ１００又はＭＳ１４０）は、他のデバイスから送信されるトラフィック表示（traffic indication）をリッスンする。例えば、ＭＳ１４０は、ＢＳ１１０からトラフィック表示メッセージ２６５がブロードキャストされたかどうかを判定するためにリッスンする。このメッセージが、肯定的な表示を伝える場合、該デバイスは、スリープモード２２０から抜け出し、他のデバイスから、バッファされたパケットを受信するために、ウェイクモード２１０に戻る。
【００２３】
第１のＰＳＭは、例えばウェブ閲覧のような集中的な動作（bursty behavior）を伴う非リアルタイムトラフィックに適したものであっても良い。それは、ベストエフォート（ＢＥ）又は非リアルタイム可変レート（ＮＲＴ−ＶＲ）のコネクションをサポートするために使用されても良い。一つの実施形態において、それは、ＩＥＥＥ ８０２．１６ｅ標準により提供される省電力クラス（ＰＳＣ） Type IのＰＳＭプロトコルと互換性があっても良い。
【００２４】
図３は、本発明の一つの実施形態に従う第２の省電力モード（ＰＳＭ）を説明するタイミングチャート３００である。タイミングチャート３００は、ウェイクモード３１０及びスリープモード３２０を含んでいる。ウェイクモード３１０及びスリープモード３２０は、図２に示されるウェイクモード２１０及びスリープモード２２０と類似している。
【００２５】
ウェイクモード３１０は、ＢＳ１１０又はＭＳ１４０が、例えば、他のデバイスへ及び／又はからの通信パケットの送信又は受信のような、その通常の機能を実行するところのアクティブ期間に対応する。スリープモード３２０は、ＢＳ又はＭＳ１４０が、その電力消費を低減するところの省電力期間に対応する。スリープモード３２０は、多くのスリープサイクル３３０ｉ（ｉ ＝ １，…，Ｋ）を含んでも良い。各々のスリープサイクルは、スリープインターバル又は窓３４０ｉ及びリスニングインターバル又は窓３５０ｉを含む。以下において、簡潔にするために、下付き文字“ｉ”は省略されることがある。第２のＰＳＭにより使用される２つのパラメータ、すなわち、最初の又は最小のスリープ時間（Ｔｍｉｎ）及びリスニング時間（ＴＬ）が存在する。これらパラメータは、典型的には、最初の期間中に又はそれら通信の開始時にて、他のデバイスと事前交渉される。最初のスリープ時間Ｔｍｉｎ及びリスニング時間ＴＬは、スリープモード３２０において、スリープサイクルの始めから終わりまで、一定である。
【００２６】
スリープインターバル３４０の間、ＢＳ１１０又はＭＳ１４０は、電力消費を低減するために、その回路素子の大部分を、オフにする。これは、より長いオペレーション期間及びバッテリー寿命の増加をもたらす。スリープインターバル３４０の間、ＢＳ１１０又はＭＳ１４０は、データを一つも受信又は送信しなくても良い。
【００２７】
リスニングインターバル３５０の間、ＢＳ１１０又はＭＳ１４０は、リスニング時間ＴＬに等しい時間の間、ウェイクアップする。リスニング時間ＴＬは、スリープモード２２０の始めから終わりまで、一定である。それは、およそ一つのＭＡＣフレーム長からなる短いインターバルでも良い。リスニングインターバル３５０の間、デバイス（すなわち、ＢＳ１００又はＭＳ１４０）は、トラフィック表示メッセージを送信しない。その代わりに、ＢＳ１１０及びＭＳ１４０は、直接、それらのリアルタイムパケット３６０を、互いに交換する。それゆえ、スリープモード３２０は、途切れなく維持されても良く、これは、リアルタイムトラフィックのためには、より効果的である。なぜならば、スリープモードを再開するために要求される信号オーバーヘッドが、削除され又は著しく削減され得るからである。第２のＰＳＭでは、スリープモード３２０は、特定の制御メッセージを送信することによって、ＢＳ１１０又はＭＳ１４０により要求通りに終了されても良い。
【００２８】
第２のＰＳＭは、例えばＶｏＩＰのようなリアルタイムトラフィックに適したものであっても良い。それは、アンソリシテッド・グラント・サービス（ＵＧＳ）、リアルタイム可変レート（ＲＴ−ＶＲ）、又は拡張リアルタイム可変レート（ＥＲＴ−ＶＲ）のコネクションをサポートするために使用されても良い。一つの実施形態において、それは、ＩＥＥＥ ８０２．１６ｅ標準により提供される省電力クラス（ＰＳＣ） Type IIのＰＳＭプロトコルと互換性があっても良い。
【００２９】
図４は、本発明の一つの実施形態に従うハイブリッド省電力モードを説明するタイミングチャート４００である。タイミングチャート４００は、説明のためのＭＳ状態を図示している。ＢＳ状態について同様のタイミングチャートを得ることができる。タイミングチャート４００は、ダウンリンク（ＤＬ）伝送におけるＢＳパケットに関するタイミングチャート、アップリンク（ＵＬ）伝送におけるＭＳパケットに関するタイミングチャート、及びＭＳ状態に関するタイミングチャートを含む。該タイミングチャートは、ボイスパケット４３０、無（no）パケット４４０、無音挿入記述子（silence insertion descriptor）（ＳＩＤ）フレーム４５０、スリープインターバルＳ４６０、及びリスニングインターバルＬ４７０を示している。
【００３０】
ボイスパケット４３０は、局がボイス通信（voice communication）を含んでいるパケットを送信する場合に、生成される。エンドユーザのボイスコーデックは、無音抑制スキームを使用しても良い。このスキームにおいて、ボイスパケット４３０は、トークスパート期間（talk-spurt periods）中に、周期的に生成されるが、無音期間中は、全く生成されない。無音期間の開始時にて、無音抑制スキームを使用するボイスコーデックは、ＳＩＤフレーム４５０を挿入する。ＳＩＤフレーム４５０は、ボイスパケット４３０に比べて、より小さい。それは、背景雑音についての情報のみを含んでも良い。それは、無音期間中に、受信側の復号器で、人口雑音を生成するために使用されても良い。
【００３１】
ハイブリッド省電力モード（ＨＰＳＭ）は、共通無音期間４８０が存在するかどうかによって、第１のＰＳＭ及び第２のＰＳＭの両方を使用する。共通無音期間は、ＵＬデバイス（例えば、ＭＳ）とＤＬデバイス（例えば、ＢＳ）との両方が送信すべきボイスパケットを有しないところの期間である。つまり、無音抑制スキーム（silent suppression scheme）が使用される場合、共通無音期間４８０は、ＵＬデバイスとＤＬデバイスとの両方がそれらのＳＩＤフレームを送信する場合に検出されても良い。
【００３２】
ＤＬ上若しくはＵＬ上又は両方の上に少なくとも一つのボイスパケット４３０が存在する場合、ＨＰＳＭは、第２のＰＳＭ４１０のＰＳＭプロトコル（例えば、ＰＳＣ type II）に従う。つまり、局は、固定長ＴＳを有するスリープインターバル４６０の間、スリープし、ボイスパケット４３０が生成され得るところの、固定長ＴＬを有するリスニングインターバル４７０の間、ウェイクアップする。スリープサイクルＴＰは、ＴＳ＋ＴＬに等しい。
【００３３】
共通無音期間４８０の間、ボイスパケット４３０の送信は存在しない。局は、第１のＰＳＭ４２０のＰＳＭプロトコル（例えば、ＰＳＣ type I）を利用する。つまり、第ｉのスリープインターバル４６５の長さがＴｉならば、第ｉのスリープサイクルの長さ、Ｔｉ＋ＴＬは、方程式（２）で与えられるように、指数関数的に増加する。参照を容易にするために以下に繰り返す。
【数３】
0005425990.tif 000004
【００３４】
ここで、Ｔｍａｘは、最大のスリープサイクルである。最小又は最初のスリープサイクルは、ＴＰに等しい。
【００３５】
スリープサイクルの値、Ｔｉ＋ＴＬは、ボイスパケット４３０の到着に同期するために２倍されるが、Ｔｉ値だけはオリジナルのＰＳＣ Type Iにおいて２倍される点において、第１のＰＳＭは、方程式（２）に示されるように、ＰＳＣ Type Iから少し修正されたものであることは留意すべきである。
【００３６】
共通無音期間（silence period）４８０が開始する場合、ＰＳＭは、第２のＰＳＭ４１０から第１のＰＳＭ４２０へ切り替える。共通無音期間４８０の開始は、二つの通信する局から到来する二つのＳＩＤフレームを検出することによって、検出されても良い。ＳＩＤフレーム４５０はボイスパケット４３０に比べてとても少ないビットを有するので、ＢＳ１１０及びＭＳ１４０の各々は、到着パケットがＳＩＤフレームであるかどうかを、パケットサイズをチェックすることにより検出しても良い。
【００３７】
局が第１のＰＳＭ４２０にある場合、リスニングインターバル４７０の間、それは、ＵＬ又はＤＬのいずれか一方からの到着パケットを、継続的にチェックする。パケットがボイスパケット４３０である場合、その局は、第１のＰＳＭ４２０を終了して、第２のＰＳＭ４１０に戻る。パケットが、局により送信され得るＳＩＤフレーム４５０である場合、その局は、次のリスニングインターバル４７０を待ち、受信されたＳＩＤフレーム４５０を送信する。このように、共通無音期間４８０中のＳＩＤフレーム４５０の到着は、第１のＰＳＭ４２０のオペレーションを中断せず、さらに電力効率の良いオペレーションをもたらす。
【００３８】
局が第１のＰＳＭ４２０にある間に、スリープインターバル４６５中にボイスパケット４３０が到着する場合、それは、バッファメモリにバッファされ、そして、次のリスニングインターバル４７０においてフォワードされる。２以上のパケットがバッファされ、次のリスニングインターバル４７０において送信されても良い。このように、すべてのバッファされたパケットは、不必要なバッファリング遅延を低減するために、最初に送信されても良い。
【００３９】
局を第２のＰＳＭ４１０と第１のＰＳＭ４２０との間で切り替える制御動作を容易にするために、該局は、ＤＬ及びＵＬのステータスを表示する、二つのステータス変数又はフラグを保持しても良い。ＤＬ及びＵＬのステータスは、ボイスパケット又はＳＩＤフレームが受信又は送信されたかどうかを指し示す。ＤＬステータス及びＵＬステータスをチェックすることによって、局は、共通無音期間４８０を検出しても良い。簡単なルールは、ＤＬステータスとＵＬステータスとの両方が、無音期間が存在することを表示する場合に（例えば、ＢＳ１１０とＭＳ１４０との両方が、それぞれのＳＩＤフレーム４５０を受信する場合に）、共通無音期間４８０が検出され、且つ、基礎をなす（underlying）局に関連するＰＳＭは第１のＰＳＭ４２０である、というものである。そうでなければ、ＤＬステータスとＵＬステータスとのうちの少なくとも一つが、通話期間（talk period）が存在することを表示する場合に（例えば、ＢＳ１１０とＭＳ１４０とのうちの少なくとも一つが、ボイスパケット４３０を受信する場合に）、共通無音期間が存在せず、且つ、基礎をなす局に関連するＰＳＭは第２のＰＳＭ４１０である。
【００４０】
ＨＰＳＭは、最初に、ＤＬステータス及びＵＬステータスを、通話期間を表示する通話状態（talk status）に初期化することによって、開始されても良い。このように、第２のＰＳＭ４１０は、局がその省電力オペレーションを始めるときの該局のＰＳＭである。この最初の第２のＰＳＭ４１０から、該局は、上記のように、ＤＬステータス及びＵＬステータスに従って、第２のＰＳＭ４１０にとどまり、又は第１のＰＳＭ４２０へ切り替えても良い。
【００４１】
図５は、本発明の一つの実施形態に従う、図１に示された省電力ハイブリッドコントローラ１２５／１４５ｉを説明する図である。ハイブリッドコントローラ１２５／１４５ｉは、イニシャライザ５１０、第１のコントローラ５４０、第２のコントローラ５６０、及びパケット受信機／送信機５８０を含む。ハイブリッドコントローラ１２５／１４５ｉは、上記より多いコンポーネントを含んでも上記より少ないコンポーネントを含んでも良い。加えて、ハイブリッドコントローラ１２５／１４５ｉは、ハードウェア、ファームウェア、ソフトウェア又はそれらの任意の組み合わせにより実装されても良い。
【００４２】
イニシャライザ５１０は、ＢＳ１１０とＭＳ１４０との間の通信中に、ＢＳ１１０及びＭＳ１４０にそれぞれ関連するＤＬステータス５２０及びＵＬステータス５３０を使用して、省電力のためにＢＳ１１０とＭＳ１４０とのうちの少なくとも一つを初期化する。ＤＬステータス５２０及びＵＬステータス５３０は、イニシャライザ５１０、第１のコントローラ５４０及び第２のコントローラ５６０にアクセス可能なメモリに記憶されても良い。
【００４３】
イニシャライザ５１０は、ボイスオーバーインターネットプロトコル（ＶｏＩＰ）と省電力モード（ＰＳＭ）との両方が要求される場合に、ＤＬステータス及びＵＬステータスの両方を、通話期間を表示するようにセットする。
【００４４】
第１のコントローラ５４０は、ＤＬステータスとＵＬステータスとの両方が無音期間を表示する場合に、第１の省電力クラス（ＰＳＣ）モード５５０をアクティブにするために、イニシャライザ５１０に結合される。第１のＰＳＣモード５５０をアクティブにすることは、上記のように、第１のＰＳＭに従って、スリープインターバル及びリスニングインターバルのスケジューリングを維持することを含む。第１のＰＳＣモード５５０は、スケジューリングを実行するタイミング回路又はルーチンにより表されても良い。
【００４５】
第２のコントローラ５６０は、ＤＬステータスとＵＬステータスとのうちの少なくとも一つが通話期間を表示する場合に、第２のＰＳＣモード５７０をアクティブにするために、イニシャライザ５１０に結合される。第２のＰＳＣモード５７０をアクティブにすることは、上記のように、第２のＰＳＭに従って、スリープインターバル及びリスニングインターバルのスケジューリングを維持することを含む。第２のＰＳＣモード５７０は、スケジューリングを実行するタイミング回路又はルーチンにより表されても良い。
【００４６】
パケット受信機／送信機５８０は、ＳＩＤフレーム又はボイスパケットの受信及び送信機能を実行する。それはまた、パケットがボイスパケットであるか又はＳＩＤフレームであるかをチェックし、それに応じて、第１のコントローラ５４０又は第２のコントローラ５６０に通知しても良い。
【００４７】
図６Ａは、本発明の一つの実施形態に従う、図５に示される第1のコントローラ５４０を説明する図である。第１のコントローラ５４０は、維持モジュール６１０及びアップデーター６２０を含む。第１のコントローラ５４０は、上記より多いコンポーネントを含んでも上記より少ないコンポーネントを含んでも良い。
【００４８】
維持モジュール６１０は、ＤＬステータス５２０とＵＬステータス５３０（図５）との両方が、無音期間を表示する場合に、第１のＰＳＭプロトコル６１５に従って、スリープインターバル及びリスニングインターバルを維持する。一つの実施形態において、第１のＰＳＭプロトコル６１５は、ＩＥＥＥ ８０２．１６ｅにより提供されるＰＳＣ Type Iのプロトコル又は同等の標準規格である。維持モジュール６１０はまた、ＰＳＭが第１のＰＳＭから第２のＰＳＭへ変えられることが決定された場合に、第２のコントローラ５６０と通信し、この場合に、維持モジュール６１０は、第１のＰＳＭプロトコル６１５を非アクティブにする。
【００４９】
アップデーター６２０は、ＤＬステータス５２０とＵＬステータス５３０とのうちの少なくとも一つをアップデートする。これは、パケット受信機／送信機５８０（図５）により提供されるパケットのタイプを監視又は決定することによって、実行されても良い。アップデーター６２０は、ステータスアップデーター６５０、バッファ６３０、及び送信機６４０を含む。
【００５０】
ステータスアップデーター６５０は、ボイスパケットが受信又は送信された場合に、ＢＳ１１０での又はＭＳ１４０での、ＤＬステータス５２０とＵＬステータス５３０とのうちの一つをアップデートする。バッファ６３０は、無音挿入記述子（ＳＩＤ）フレーム又はボイスパケットをバッファする。バッファ６３０は、バッファメモリ（例えば、先入れ先出しデバイス、ランダムアクセスメモリ）として実装されても良い。バッファ６３０のサイズは、到着する可能性のあるパケットをすべて保持するに十分大きくても良い。送信機６４０は、リスニングインターバル中に、バッファされたＳＩＤフレーム又はバッファされたボイスパケットを送信する。送信機６４０は、バッファされたＳＩＤフレーム又はバッファされたボイスパケットを、パケット受信機／送信機５８０へ送る。
【００５１】
図６Ｂは、本発明の一つの実施形態に従う、図５に示される第２のコントローラ５６０を説明する図である。第２のコントローラ５６０は、維持モジュール６６０及びアップデーター６７０を含む。第２のコントローラ５６０は、上記より多いコンポーネントを含んでも上記より少ないコンポーネントを含んでも良い。
【００５２】
維持モジュール６６０は、ＤＬステータスとＵＬステータスとのうちの少なくとも一つが通話期間を表示する場合に、第２のＰＳＭプロトコル６６５に従って、スリープインターバル及びリスニングインターバルを維持する。一つの実施形態において、第２のＰＳＭプロトコル６６５は、ＩＥＥＥ ８０２．１６ｅにより提供されるＰＳＣ Type IIのプロトコル又は同等の標準規格である。維持モジュール６６０はまた、ＰＳＭが第２のＰＳＭから第１のＰＳＭへ変えられることが決定された場合に、第１のコントローラ５４０と通信し、この場合に、維持モジュール６６０は、第２のＰＳＭプロトコル６６５を非アクティブにする。
【００５３】
アップデーター６７０は、ＤＬステータス５３０とＵＬステータス５３０（図５）とのうちの少なくとも一つをアップデートする。これは、パケット受信機／送信機５８０（図５）により提供されるパケットのタイプを監視又は決定することによって、実行されても良い。
【００５４】
図７は、本発明の一つの実施形態に従う、パワーをセーブするためのプロセス７００を説明するためのフローチャートである。
【００５５】
開始すると、プロセス７００は、ＢＳとＭＳとの間の通信中に、ＢＳ及びＭＳにそれぞれ関連するＤＬステータス及びＵＬステータスを使用して、省電力のためにＢＳとＭＳとのうちの少なくとも一つを初期化する（ブロック７１０）。次に、プロセス７００は、ＤＬステータスとＵＬステータスとの両方が無音期間を表示しているかどうかを判定する（ブロック７２０）。もしそうであれば、プロセス７００は、第１のＰＳＣモードに入り（ブロック７３０）、その後、終了する。そうでなければ、プロセス７００は、第２のＰＳＣモードに入り、その後、終了する。一つの実施形態において、第１のＰＳＣモードは、ベストエフォート（ＢＥ）又は非リアルタイム可変レート（ＮＲＴ−ＶＲ）のコネクションをサポートし、第２のＰＳＣモードは、アンソリシテッド・グラント・サービス（ＵＧＳ）、リアルタイム可変レート（ＲＴ−ＶＲ）、又は拡張リアルタイム可変レート（ＥＲＴ−ＶＲ）のコネクションをサポートする。一つの実施形態において、ＩＥＥＥ ８０２．１６ｅ又は同等の標準規格に従って、第１のＰＳＣモードは、ＰＳＣ type Iに対応し、第２のＰＳＣモードは、ＰＳＣ type IIに対応する。
【００５６】
図８は、本発明の一つの実施形態に従う、初期化するための図７に示されるプロセス７１０を説明するためのフローチャートである。
【００５７】
開始すると、プロセス７１０は、ボイスオーバーインターネットプロトコル（ＶｏＩＰ）が要求されたかどうかを判定する（ブロック８１０）。要求されてなければ、プロセス７１０は、ブロック８１０に戻る。それ以外ならば、プロセス７１０は、省電力モード（ＰＳＭ）が要求されたかどうかを判定する（ブロック８２０）。要求されてなければ、プロセス７１０は、ブロック８１０（又は、ブロック８２０）に戻る。それ以外ならば、プロセス７１０は、ＤＬステータスとＵＬステータスとの両方を、通話期間を表示するように、セットし（ブロック８３０）、その後、終了する。
【００５８】
図９Ａは、本発明の一つの実施形態に従う、第１のＰＳＣモードに入るための図７に示されるプロセス７３０を説明するためのフローチャートである。
【００５９】
開始すると、プロセス７３０は、第１のＰＳＭプロトコルに従ってスリープインターバル及びリスニングインターバルを維持する（ブロック９１０）。それから、プロセス７３０は、ＤＬステータスとＵＬステータスとのうちの少なくとも一つをアップデートする（ブロック９２０）。次に、プロセス７３０は、ＤＬステータスとＵＬステータスとの両方が無音期間を表示しているかどうかを判定する（ブロック９３０）。そうであれば、プロセス７３０は、第１のＰＳＭプロトコルの維持に従って、スリープインターバル及びリスニングインターバルの維持を継続するために、ブロック９１０へ戻る。それ以外ならば、ＤＬステータスとＵＬステータスとのうちの少なくとも一つが通話期間を表示するならば、プロセス７３０は、第１のＰＳＣモードから抜け出して第２のＰＳＣに入り（ブロック９４０）、その後、終了する。
【００６０】
図９Ｂは、本発明の一つの実施形態に従う、第１のＰＳＣモードにおいてＤＬステータスとＵＬステータスとのうちの一つをアップデートするための図９Ａに示されるプロセス９２０を説明するためのフローチャートである。
【００６１】
開始すると、プロセス９２０は、パケットが受信又は送信されたかどうかを判定する（ブロック９４５）。そうでなければ、プロセス９２０は、終了する、すなわち、ＤＬステータス又はＵＬステータスのアップデートは不要である。それ以外ならば、プロセス９２０は、無音挿入記述子（ＳＩＤ）フレーム又はボイスパケットである可能性のあるパケットをバッファする（ブロック９５０）。次に、プロセス９２０は、そのパケットはボイスパケットかどうかを判定する（ブロック９６０）。そうでなければ、すなわち、そのパケットはＳＩＤフレームであり、プロセス９２０は、ブロック９７０に進む。それ以外ならば、プロセス９２０は、パケットが、ＤＬ局からであるか又はＵＬ局からであるかを判定する（ブロック９６２）。それがＤＬ局すなわちＢＳ局である場合、プロセス９２０は、ＤＬステータスに、通話期間を表示する通話状態をセットし（ブロック９６４）、ブロック９７０に進む。それがＵＬ局すなわちＭＳ局である場合、プロセス９２０は、ＵＬステータスに、通話期間を表示する通話状態をセットし（ブロック９６６）、ブロック９７０に進む。
【００６２】
次に、プロセス９２０は、リスニングインターバルに達したかどうかを判定する（ブロック９７０）。到達してなければ、プロセス９２０は、終了するそれ以外ならば、プロセス９２０は、リスニングインターバルの間、バッファされた１又は複数のＳＩＤフレーム、又は、バッファされた１又は複数のボイスパケットを送信し（ブロック９８０）、その後、終了する。
【００６３】
図１０は、本発明の一つの実施形態に従う、第２のＰＳＣモードに入るための図７に示されるプロセス７４０を説明するためのフローチャートである。
【００６４】
開始すると、プロセス７４０は、第２のＰＳＭプロトコルに従ってスリープインターバル及びリスニングインターバルを維持する（ブロック１０１０）。それから、プロセス７４０は、ＤＬステータスとＵＬステータスとのうちの少なくとも一つをアップデートする（ブロック１０２０）。次に、プロセス７４０は、ＤＬステータスとＵＬステータスとの両方が無音期間を表示しているかどうかを判定する（ブロック１０３０）。そうでなければ、すなわち、ＤＬステータスとＵＬステータスとのうちの少なくとも一つが通話期間を表示するならば、プロセス７４０は、第２のＰＳＭプロトコルに従って、スリープインターバル及びリスニングインターバルの維持を継続するために、ブロック１０１０へ戻る。それ以外ならば、プロセス７４０は、第２のＰＳＣモードから抜け出して第１のＰＳＣに入り、その後、終了する。
【００６５】
図１１は、本発明の一つの実施形態に従う、第２のＰＳＣモードにおいてＤＬステータスとＵＬステータスとのうちの一つをアップデートするための図１０に示されるプロセス１０２０を説明するためのフローチャートである。
【００６６】
開始すると、プロセス１０２０は、その局がＢＳであるか又はＭＳであるかを判定する（ブロック１１１０）。それがＢＳであるならば、プロセス１０２０は、ＢＳでのＤＬステータスとＵＬステータスとのうちの一つをアップデートし、その後、終了する（ブロック１１２０）。それがＭＳであるならば、プロセス１０２０は、ＭＳでのＤＬステータスとＵＬステータスとのうちの一つをアップデートする（ブロック１１３０）。
【００６７】
図１２は、本発明の一つの実施形態に従う、ＢＳでの第２のＰＳＣモードにおいてＤＬステータスとＵＬステータスとのうちの一つをアップデートするための図１１に示されるプロセス１１２０を説明するためのフローチャートである。
【００６８】
開始すると、プロセス１１２０は、パケットがＳＩＤフレームであるか又はボイスパケットであるかを判定する（ブロック１２１０）。もしそれがＳＩＤフレームならば、プロセス１１２０は、パケットがＭＳへ送信されたか又はＭＳから受信されたかを判定する（ブロック１２２０）。もしそれがＭＳへ送信されたならば、プロセス１１２０は、ＤＬステータスに、無音期間を表示する無音状態をセットし、その後、終了する（ブロック１２３０）。もしそれがＭＳから受信されたならば、プロセス１１２０は、ＵＬステータスに、該無音状態をセットし、その後、終了する（ブロック１２４０）。
【００６９】
もしパケットがボイスパケットならば、プロセス１１２０は、それがＭＳへ送信されたか又はＭＳから受信されたかを判定する（ブロック１２５０）。もしそれがＭＳへ送信されたならば、プロセス１１２０は、ＤＬステータスに、通話期間を表示する通話状態をセットし、その後、終了する。もしそれがＭＳから受信されたならば、プロセス１１２０は、ＵＬステータスに、該通話状態をセットし、その後、終了する。
【００７０】
図１３は、本発明の一つの実施形態に従う、ＭＳでの第２のＰＳＣモードにおいてＤＬステータスとＵＬステータスとのうちの一つをアップデートするための図１１に示されるプロセス１１３０を説明するためのフローチャートである。
【００７１】
開始すると、プロセス１１３０は、パケットがＳＩＤフレームであるか又はボイスパケットであるかを判定する（ブロック１３１０）。もしそれがＳＩＤフレームならば、プロセス１１３０は、パケットがＢＳへ送信されたか又はＢＳから受信されたかを判定する（ブロック１３２０）。もしそれがＢＳへ送信されたならば、プロセス１１３０は、プロセス１１２０は、ＵＬステータスに、無音期間を表示する無音状態をセットし（ブロック１３３０）、その後、終了する。もしそれがＢＳから受信されたならば、プロセス１１３０は、プロセス１１２０は、ＤＬステータスに、該無音状態をセットし（ブロック１３４０）、その後、終了する。
【００７２】
もしパケットがボイスパケットならば、プロセス１１３０は、それがＢＳへ送信されたか又はＢＳから受信されたかを判定する（ブロック１３５０）。もしそれがＢＳへ送信されたならば、プロセス１１３０は、ＵＬステータスに、通話期間を表示する通話状態をセットし（ブロック１３６０）、その後、終了する。もしそれがＢＳから受信されたならば、プロセス１１３０は、ＤＬステータスに、該通話状態をセットし（ブロック１３７０）、その後、終了する。
【００７３】
図１４は、本発明の一つの実施形態に従う、図１に示される省電力ハイブリッドコントローラ１２５／１４５ｉを実施するためのコンピュータシステムを説明する図である。処理ユニット２３０は、プロセッサ１４１０、メモリコントローラ（ＭＣ）１４２０、メインメモリ１４３０、入出力コントローラ（ＩＯＣ）１４４０、相互接続（interconnect）１４４５、大容量記憶インタフェース（mass storage interface）１４５０、入出力（Ｉ／Ｏ）デバイス１４４７１〜１４４７Ｋ、及びネットワークインタフェースカード（ＮＩＣ）１４６０を含む。処理ユニット２３０は、上記より多いコンポーネントを含んでも上記より少ないコンポーネントを含んでも良い。
【００７４】
プロセッサ１４１０は、例えば、ハイパースレッディング、セキュリティー、ネットワーク、デジタルメディア技術を使用するプロセッサ、シングルコアプロセッサ、マルチコアプロセッサ、組み込みプロセッサ、モバイルプロセッサ、マイクロコントローラ、デジタルシグナルプロセッサ、スーパースカラーコンピュータ、ベクトルプロセッサ、単一命令複数データ（single instruction multiple data）（ＳＩＭＤ）コンピュータ、複合命令セットコンピュータ（complex instruction set computers）（ＣＩＳＣ）、縮小命令セットコンピュータ（reduced instruction set computers）（ＲＩＳＣ）、超長命令語（very long instruction word）（ＶＬＩＷ）、又はハイブリッドアーキテクチャーのような、任意のタイプのアーキテクチャーの中央演算処理装置を意味する。
【００７５】
ＭＣ１４２０は、例えばメインメモリ１４３０及びＩＯＣ１４４０のようなメモリ及び入出力デバイスの制御及びコンフィギュレーションを提供する。ＭＣ１４２０は、例えばグラフィックス、メディア、独立実行モード（isolated execution mode）、ホスト・周辺機器間バスインタフェース（host-to-peripheral bus interface）、メモリ管理（memory control）、パワーマネジメント（power management）、などのような複数の機能性を一体化するチップセットに一体化されても良い。ＭＣ１４２０又はＭＣ１４２０中のメモリコントローラの機能性は、プロセッサユニット１４１０に一体化されても良い。いくつかの実施形態において、プロセッサユニット１４１０の内部又は外部のメモリコントローラは、プロセッサユニット１４１０中のコア又はプロセッサのすべてのために働いても良い。他の実施形態において、それは、プロセッサユニット１４１０中の異なるコア又はプロセッサのために独立して働き得る異なる部分を含んでも良い。
【００７６】
メインメモリ１４３０は、システムコード及びデータを記憶する。メインメモリ１４３０は、典型的には、ダイナミックランダムアクセスメモリ（ＤＲＡＭ）、スタティックランダムアクセスメモリ（ＳＲＡＭ）、又はリフレッシュされる必要のないメモリを含む任意のほかのタイプのメモリで実装されても良い。メインメモリ１４３０は、例えばＤＲＡＭのような複数のチャネルのメモリデバイスを含んでも良い。ＤＲＡＭは、８．５ギガバイト毎秒（ＧＢ／ｓ）のバンド幅を有するダブルデータレート（ＤＤＲ２）デバイスを含んでも良い。一つの実施形態において、メモリ１４３０は、省電力制御モジュール１４３５を含んでも良い。省電力制御モジュール１４３５は、上述の機能の全部又は一部を実行しても良い。
【００７７】
ＩＯＣ１４４０は、Ｉ／Ｏ機能をサポートするようにデザインされた多数の機能性を有する。ＩＯＣ１４４０はまた、Ｉ／Ｏ機能を実行するために、ＭＣ１４２０と一緒の又は分離したチップセット中に一体化されても良い。ＩＯＣ１４４０は、例えば、周辺装置相互接続（ＰＣＩ）バスインタフェース、プロセッサインタフェース、割り込みコントローラ、ダイレクトメモリアクセス（ＤＭＡ）コントローラ、パワーマネジメントロジック、タイマー、システム管理バス（ＳＭＢｕｓ）、ユニバーサルシステムバス（ＵＳＢ）インタフェース、大容量記憶インタフェース、ローピンカウント（low pin count）（ＬＰＣ）インタフェース、無線相互接続、ダイレクトメディアインタフェース（ＤＭＩ）、などのような、多くのインタフェース及びＩ／Ｏ機能を含んでも良い。
【００７８】
相互接続１４４５は、周辺機器へのインタフェースを提供する。相互接続１４４５は、ポイントツウポイントでも良いし、複数の機器へ接続されても良い。明確にするために、すべての相互接続は示されていない。相互接続１４４５は、例えば、周辺装置相互接続（ＰＣＩ）、ＰＣＩエクスプレス、ユニバーサルシステムバス（ＵＳＢ）、小型コンピュータシステムインタフェース（Small Computer System Interface）（ＳＣＳＩ）、シリアルＳＣＳＩ、ダイレクトメディアインタフェース（ＤＭＩ）、及び高度マイクロコントローラバスアーキテクチャー（Advanced Microcontroller Bus Architecture）（ＡＭＢＡ）などのような、任意の相互接続又はバスを含んでも良いことが意図される。
【００７９】
大容量記憶インタフェース１４５０は、例えば、コード、プログラム、ファイル、データ、及びアプリケーションのような、アーカイブ情報を記憶するための大容量記憶装置に接続する。大容量記憶インタフェースは、ＳＣＳＩ、シリアルＳＣＳＩ、アドバンストテクノロジアタッチメント（ＡＴＡ）（パラレル及び／又はシリアル）、統合ドライブエレクトロニクス（Integrated Drive Electronics）（ＩＤＥ）、エンハンストＩＤＥ、ＡＴＡパケットインタフェース（ＡＴＡＰＩ）などを含んでも良い。大容量記憶装置は、例えば、小型ディスク冗長アレイ（Redundant Array of Inexpensive Disks）（ＲＡＩＤｓ）、ネットワーク接続ストレージ（Network Attached Storage）（ＮＡＳ）、デジタルテープ、光記憶装置などのような、大容量高速ストレージアレイを含んでも良い。
【００８０】
大容量記憶装置は、コンパクトディスク（ＣＤ）、リードオンリーメモリ（ＲＯＭ）１４５２、デジタルビデオ／バーサタイルディスク（ＤＶＤ）１４５３、フロッピー（登録商標）ディスク１４５４，ハードディスクドライブ１４５５，テープドライブ１４５６，及び任意の他の磁気又は光記憶装置を含んでも良い。大容量記憶装置は、機械アクセス可能な媒体を読み取るメカニズムを提供する。
【００８１】
Ｉ／Ｏデバイス１４４７１〜１４４７Ｋは、Ｉ／Ｏ機能を実行するための任意のＩ／Ｏデバイスを含んでも良い。Ｉ／Ｏデバイス１４４７１〜１４４７Ｋの例は、入力デバイス（例えば、キーボード、マウス、トラックボール、ポインティングデバイス)のためのコントローラ、メディアカード(例えば、オーディオ、ビデオ、グラフィック）及び任意の他の周辺コントローラを含んでも良い。
【００８２】
ＮＩＣ１４６０は、処理ユニット２３０へのネットワーク接続性を提供する。ＮＩＣ１４６０は、通信トランザクションの処理の一部として割り込みを生成しても良い。一つの実施形態において、ＮＩＣ１４６０は、３２ビット及び１４４ビットの両方の周辺装置相互接続（ＰＣＩ）バス規格と互換性がある。それは、典型的には、ＰＣＩローカルバスrevision 2.2，ＰＣＩ−Ｘローカルバスrevision 1.0又はＰＣＩ−Ｅｘｐｒｅｓｓ標準に準拠している。該処理システム中に２以上のＮＩＣ１４６０が存在しても良い。典型的には、ＮＩＣ１４６０は、標準規格イーサネット（登録商標）の最小及び最大フレームサイズ（６４〜１４５１８バイト）、フレームフォーマット、及び米国電気電子技術者協会（ＩＥＥＥ）８０２．２ローカルリンクコントロール（ＬＬＣ）仕様をサポートする。それはまた、全二重ギガビットイーサネットインタフェース、フレームベースフロー制御（frame-based flow control）、及び有線イーサネットの物理レイヤ及びデータリンクレイヤを規定する他の標準規格をサポートしても良い。それは、ＩＥＥＥ ８０２．３ａｂにより規定される銅線（copper）ギガビットイーサネット又はＩＥＥＥ ８０２．３ｚにより規定される光ファイバーギガビットイーサネットをサポートしても良い。
【００８３】
ＮＩＣ１４６０はまた、例えば小型コンピュータシステムインタフェース（ＳＣＳＩ）ホストアダプタ又はファイバーチャネル（ＦＣ）ホストアダプタのようなホストバスアダプタ（ＨＢＡ）であっても良い。ＳＣＳＩホストアダプタは、ＳＣＳＩトランザクションを実行するためのボード上のハードウェア及びファームウェア、又はＳＣＳＩデバイスからブートし若しくは該ＳＣＳＩホストアダプタを構成するためのアダプタ基本入出力システム（ＢＩＯＳ）を含んでも良い。ＦＣホストアダプタは、ファイバーチャネルバスとインタフェースで接続するために使用されても良い。それは、１Ｇｂｐｓのファイバーチャネルのストレージエリアネットワーク（ＳＡＮｓ）とのオートスピードネゴシエーションで高速（例えば、２Ｇｂｐｓ）に動作しても良い。それは、バンド内ＦＣ又はバンド外インターネットプロトコル（ＩＰ）サポートの両方で、ディスカバリー（discovery）、レポーティング（reporting）、及びローカル及びリモートＨＢＡの管理を提供する適切なファームウェア又はソフトウェアによりサポートされても良い。それは、フレームレベルの多重化及びアウトオブオーダーのフレームの再構築、ファブリックサポートのためのオンボードコンテンツキャッシュ、及びハードウェアパリティー及び巡回冗長符号（ＣＲＣ）サポートを使ったエンドツーエンドデータプロテクションを有しても良い。
【００８４】
本発明の一つの実施形態のエレメントは、ハードウェア、ファームウェア、ソフトウェア又はそれらの任意の組み合わせにより実装されても良い。用語ハードウェアは、広く、例えば、電子部品、電磁気部品、光学部品、電気工学部品、機械部品、電気機械部品などのような物理的構造を有するエレメントを指し示す。ハードウェア実装（hardware implementation）は、回路、デバイス、プロセッサ、特定用途向けＩＣ（ＡＳＩＣ）、プログラマブル・ロジック・デバイス（ＰＬＤ）、フィールド・プログラマブル・ゲート・アレイ（ＦＰＧＡ）、又は任意の電子デバイスを含んでも良い。用語ソフトウェアは、広く、論理構造、方法、プロシージャー、プログラム、ルーチン、プロセス、アルゴリズム、公式（formula）、関数、式（expression）などを指し示す。用語ファームウェアは、広く、ハードウェア構造（例えば、フラッシュメモリ、ＲＯＭ、ＥＰＲＯＭ）に実現（implemented）又は具現化（embodied）された、論理構造、方法、プロシージャー、プログラム、ルーチン、プロセス、アルゴリズム、公式（formula）、関数、式（expression）などを指し示す。ファームウェアの例は、マイクロコード、書き込み可能な制御記憶、マイクロプログラム化した構造（micro-programmed structure）を含んでも良い。ソフトウェア又はファームウェアに実装される場合、本発明の一つの実施形態のエレメントは、本質的には、必要なタスクを実行するためのコードセグメントである。ソフトウェア／ファームウェアは、本発明の一つの実施形態で説明されたオペレーションを実行するための実際のコード、又は該オペレーションをエミュレート又はシミュレートするコードを含んでも良い。プログラム又はコードセグメントは、プロセサ又は機械アクセス可能な媒体に記憶されること、又は、キャリアウェイブに具現化されたコンピュータデータ信号若しくは伝送媒体上をキャリアで変調された信号により送信されることが可能である。“プロセッサ読み取り可能又はアクセス可能な媒体（processor readable or accessible medium）”又は“機械読み取り可能又はアクセス可能な媒体（machine readable or accessible medium）”は、情報を記憶、送信又は転送可能な任意の媒体を含んでも良い。プロセッサ読み取り可能又は機械アクセス可能な媒体（processor readable or machine accessible medium）の例は、電気回路、半導体メモリデバイス、リードオンリーメモリ（ＲＯＭ）、フラッシュメモリ、消去可能プログラマブルＲＯＭ（erasable programmable ROM）（ＥＰＲＯＭ）、フロッピーディスク、コンパクトディスク（ＣＤ）ＲＯＭ、光ディスク、ハードディスク、光ファイバー媒体、無線周波数（ＲＦ）リンクなどを含む。コンピュータデータ信号は、例えば、電子ネットワークチャネルリンク、光ファイバーリンク、エアーリンク、電磁気リンク、ＲＦリンクなどのような伝送媒体上を伝播可能な任意の信号を含んでも良い。コードセグメントは、例えばインターネット、イントラネットなどのようなコンピュータネットワークを経由してダウンロードされても良い。機械アクセス可能な媒体は、製品（article of manufacture）に具現化されても良い。機械アクセス可能な媒体は、機械によりアクセスされた場合に、前述のオペレーション又はアクションを該機械に実行させる情報又はデータを含んで���良い。機械アクセス可能な媒体はまた、その中に具現化されたプログラムコードを含んでも良い。プログラムコードは、前述のオペレーション又はアクションを実行するための機械読み取り可能なコードを含んでも良い。用語“情報（information）”又は“データ（data）”は、ここで、機械が読み取り可能なように符号化された任意のタイプの情報を指し示す。それゆえ、それは、プログラム、コード、データ、ファイルなどを含んでも良い。
【００８５】
本発明の一つの実施形態の全部又は一部は、特定の機構（features）、機能に従うアプリケーションに応じた種々の手段により実装されても良い。これら手段は、ハードウェア、ソフトウェア、若しくはファームウェア、又はそれらの任意の組み合わせを含んでも良い。ハードウェア、ソフトウェア、又はファームウェアのエレメントは、互いに結合されたいくつかのモジュールを有しても良い。ハードウェアモジュールは、機械的コネクション、電気的コネクション、光学的コネクション、電磁気的コネクション又は任意の物理的コネクションにより、他のモジュールと結合されても良い。ソフトウェアモジュールは、関数、プロシージャー、方法、サブプログラム、サブルーチンコール、ジャンプ、リンク、パラメータ、変数、引数の受け渡し、関数のリターンなどにより、他のモジュールに結合されても良い。ソフトウェアモジュールは、変数、パラメータ、引数、ポインタなどを受信し、及び／又は、結果、アップデートされた変数、ポインタなどを生成又はパスする、他のモジュールに結合されても良い。ファームウェアモジュールは、前述の方法を結合するハードウェア及びソフトウェアの組み合わせにより、他のモジュールに結合されても良い。ハードウェア、ソフトウェア、又はファームウェアモジュールは、他のハードウェア、ソフトウェア、又はファームウェアモジュールのうちの任意の一つに結合されても良い。モジュールはまた、プラットホーム上で実行中のオペレーティングシステムと情報のやりとりをするためのソフトウェアドライバ又はインタフェースであっても良い。モジュールはまた、構成、セットアップ、初期化、ハードウェアデバイスへのデータの送信及びハードウェアデバイスからのデータの受信をするためのハードウェアドライバーであっても良い。装置（apparatus）は、ハードウェア、ソフトウェア、及びファームウェアモジュールの任意の組み合わせを含んでも良い。
【００８６】
本発明が幾つかの実施形態に関して説明されたが、当業者であれば、本発明は説明された実施形態に限定されるものではなく、添付の特許請求の範囲の精神及び範囲を逸脱することなく、変更または修正して実施することができることを認識するであろう。それゆえ、本明細書は限定ではなく説明に役立つものと考えられるべきである。 
以下に、本願出願の当初の特許請求の範囲に記載された各請求項に対応する発明を付記する。 
［１］基地局（ＢＳ）と移動局（ＭＳ）との間の通信中に、該ＢＳ及び該ＭＳにそれぞれ関連するダウンリンク（ＤＬ）ステータス及びアップリンク（ＵＬ）ステータスを使用して、省電力のために該ＢＳと該ＭＳとのうちの少なくとも一つを初期化することと、 
前記ＤＬステータス及び前記ＵＬステータスの両方が無音期間を示す場合に、第１のＰＳＣのモードに入ることと、 
前記ＤＬステータスと前記ＵＬステータスとのうちの少なくとも一つが通話期間を示す場合に、第２のＰＳＣのモードに入ることを含むことを特徴とする方法。 
［２］初期化することは、 
ボイスオーバーインターネットプロトコル（ＶｏＩＰ）が要求されたかどうかを判定することと、 
省電力モード（ＰＳＭ）が要求されたどうかを判定することと、 
前記ＶｏＩＰ及びＰＳＭの両方が要求された場合に、前記ＤＬステータス及び前記ＵＬステータスの両方を、前記通話期間を示すようにセットすることを特徴とする［１］に記載の方法。 
［３］前記第１のＰＳＣのモードに入ることは、 
第１のＰＳＭプロトコルに従って、スリープインターバル及びリスニングインターバルを維持することと、 
前記ＤＬステータスと前記ＵＬステータスとのうちの一つをアップデートすることと、 
前記ＤＬステータス及び前記ＵＬステータスの両方が前記無音期間を示す場合に、前記第１のＰＳＭプロトコルに従って、前記スリープインターバル及び前記リスニングインターバルを維持することを継続することと、 
前記ＤＬステータスと前記ＵＬステータスとのうちの少なくとも一つが前記通話期間を示す場合に、前記第２のＰＳＣのモードに入るために、前記第１のＰＳＣモードから抜け出すことを含むことを特徴とする［１］に記載の方法。 
［４］前記ＤＬステータスと前記ＵＬステータスとのうちの一つをアップデートすることは、 
無音挿入記述子（ＳＩＤ）フレーム又はボイスパケットをバッファすることと、 
前記ボイスパケットが受信又は送信された場合に、前記ＢＳでの又は前記ＭＳでの前記ＤＬステータスと前記ＵＬステータスとのうちの一つをアップデートすることと、 
前記リスニングインターバル中に、前記バッファされたＳＩＤフレーム又は前記バッファされたボイスパケットを送信することを含むことを特徴とする［３］に記載の方法。 
［５］前記ＢＳでの前記ＤＬステータスと前記ＵＬステータスとのうちの一つをアップデートすることは、 
前記ＢＳが前記ボイスパケットを前記ＭＳへ送信する場合に、前記ＤＬステータスを、前記通話期間を示す通話状態にセットすることと、 
前記ＢＳが前記ボイスパケットを前記ＭＳから受信する場合に、前記ＵＬステータスを、前記通話状態にセットすることを含むことを特徴とする［４］に記載の方法。 
［６］前記ＭＳでの前記ＤＬステータスと前記ＵＬステータスとのうちの一つをアップデートすることは、 
前記ＭＳが前記ボイスパケットを前記ＢＳから受信する場合に、前記ＤＬステータスを、前記通話期間を示す通話状態にセットすることと、 
前記ＭＳが前記ボイスパケットを前記ＢＳへ送信する場合に、前記ＵＬステータスを、前記通話状態にセットすることを含むことを特徴とする［４］に記載の方法。 
［７］前記第２のＰＳＣのモードに入ることは、 
第２のＰＳＭプロトコルに従って、スリープインターバル及びリスニングインターバルを維持することと、 
前記ＤＬステータスと前記ＵＬステータスとのうちの一つをアップデートすることと、 
前記ＤＬステータスと前記ＵＬステータスとのうちの少なくとも一つが前記通話期間を示す場合に、前記第２のＰＳＭプロトコルに従って、前記スリープインターバル及び前記リスニングインターバルを維持することを継続することと、 
前記ＤＬステータス及び前記ＵＬステータスの両方が前記無音期間を示す場合に、前記第１のＰＳＣのモードに入るために、前記第２のＰＳＣモードから抜け出すことを含むことを特徴とする［１］に記載の方法。 
［８］前記ＤＬステータスと前記ＵＬステータスとのうちの一つをアップデートすることは、 
前記ＢＳでの又は前記ＭＳでの前記ＤＬステータスと前記ＵＬステータスとのうちの一つをアップデートすることを含むことを特徴とする［７］に記載の方法。 
［９］前記ＢＳでの前記ＤＬステータスと前記ＵＬステータスとのうちの一つをアップデートすることは、 
前記ＢＳが無音挿入記述子（ＳＩＤ）フレームを前記ＭＳへ送信する場合には、前記ＤＬステータスを、前記無音期間を示す無音状態にセットすることと、 
前記ＢＳが前記ＳＩＤフレームを前記ＭＳから受信する場合には、前記ＵＬステータスを、前記無音状態にセットすることと、 
前記ＢＳがボイスパケットを前記ＭＳへ送信する場合には、前記ＤＬステータスを、前記通話期間を示す通話状態にセットすることと、 
前記ＢＳがボイスパケットを前記ＭＳから受信する場合には、前記ＵＬステータスを、前記通話状態にセットすることを含むことを特徴とする［８］に記載の方法。 
［１０］前記ＭＳでの前記ＤＬステータスと前記ＵＬステータスとのうちの一つをアップデートすることは、 
前記ＭＳが無音挿入記述子（ＳＩＤ）フレームを前記ＢＳから受信する場合には、前記ＤＬステータスを、前記無音期間を示す無音状態にセットすることと、 
前記ＭＳが前記ＳＩＤフレームを前記ＢＳへ送信する場合には、前記ＵＬステータスを、前記無音状態にセットすることと、 
前記ＭＳがボイスパケットを前記ＢＳから受信する場合には、前記ＤＬステータスを、前記通話期間を示す通話状態にセットすることと、 
前記ＭＳがボイスパケットを前記ＢＳへ送信する場合には、前記ＵＬステータスを、前記通話状態にセットすることを特徴とする［８］に記載の方法。 
［１１］前記第１のＰＳＣモードは、ベストエフォート（ＢＥ）又は非リアルタイム可変レート（ＮＲＴ−ＶＲ）コネクションをサポートし、前記第２のＰＳＣモードは、アンソリシテッド・グラント・サービス（ＵＧＳ）、リアルタイム可変レート（ＲＴ−ＶＲ）、又は拡張リアルタイム可変レート（ＥＲＴ−ＶＲ）コネクションをサポートすることを特徴とする［１］に記載の方法。 
［１２］ＩＥＥＥ ８０２．１６ｅ標準に従って、前記第１のＰＳＣモードは、ＰＳＣ type Iに対応し、前記第２のＰＳＣモードは、ＰＳＣ type IIに対応することを特徴とする［１］に記載の方法。  
［１３］基地局（ＢＳ）と移動局（ＭＳ）との間の通信中に、該ＢＳ及び該ＭＳにそれぞれ関連するダウンリンク（ＤＬ）ステータス及びアップリンク（ＵＬ）ステータスを使用して、省電力のために該ＢＳと該ＭＳとのうちの少なくとも一つを初期化するためのイニシャライザと、 
前記ＤＬステータス及び前記ＵＬステータスの両方が無音期間を示す場合に、第１のＰＳＣのモードをアクティブにするための前記イニシャライザに結合された第１のコントローラと、 
前記ＤＬステータスと前記ＵＬステータスとのうちの少なくとも一つが通話期間を示す場合に、第２のＰＳＣのモードをアクティブにするための前記イニシャライザに結合された第２のコントローラとを含むことを特徴とする装置。 
［１４］前記イニシャライザ（initializer）は、ボイスオーバーインターネットプロトコル（ＶｏＩＰ）及び省電力モード（ＰＳＭ）の両方が要求された場合に、前記ＤＬステータス及び前記ＵＬステータスの両方を、前記通話期間を示すようにセットすることを特徴とする［１３］に記載の装置。 
［１５］前記第１のコントローラは、 
前記ＤＬステータス及び前記ＵＬステータスの両方が前記無音期間を示す場合に、第１のＰＳＭプロトコルに従って、スリープインターバル及びリスニングインターバルを維持することを継続する維持モジュールと、 
前記ＤＬステータスと前記ＵＬステータスとのうちの一つをアップデートするアップデーターとを含むことを特徴とする［１３］に記載の装置。 
［１６］前記第２のコントローラは、 
前記ＤＬステータスと前記ＵＬステータスとのうちの少なくとも一つが前記通話期間を示す場合に、第２のＰＳＭプロトコルに従って、スリープインターバル及びリスニングインターバルを維持する維持モジュールと、 
前記ＤＬステータスと前記ＵＬステータスとのうちの一つをアップデートするアップデーターとを含むことを特徴とする［１３］に記載の装置。 
［１７］前記アップデーターは、 
無音挿入記述子（ＳＩＤ）フレーム又はボイスパケットをバッファするバッファと、
前記ボイスパケットが受信又は送信された場合に、前記ＢＳでの又は前記ＭＳでの前記ＤＬステータスと前記ＵＬステータスとのうちの一つをアップデートするステータスアップデーターと、 
前記リスニングインターバル中に、前記バッファされたＳＩＤフレーム又は前記バッファされたボイスパケットを送信するために前記バッファに結合される送信機とを含むことを特徴とする［１５］に記載の装置。 
［１８］機械読み取り可能な媒体を含む製品において、 
前記機械読み取り可能な媒体は、 
基地局（ＢＳ）と移動局（ＭＳ）との間の通信中に、該ＢＳ及び該ＭＳにそれぞれ関連するダウンリンク（ＤＬ）ステータス及びアップリンク（ＵＬ）ステータスを使用して、省電力のために該ＢＳと該ＭＳとのうちの少なくとも一つを初期化することと、 
前記ＤＬステータス及び前記ＵＬステータスの両方が無音期間を示す場合に、第１のＰＳＣのモードに入ることと、 
前記ＤＬステータスと前記ＵＬステータスとのうちの少なくとも一つが通話期間を示す場合に、第２のＰＳＣのモードに入ること、 
を含むオペレーションを、機械にアクセスされた場合に該機械に実行させるデータを含むことを特徴とする製品。 
［１９］前記機械に初期化することを実行させる前記データは、 
ボイスオーバーインターネットプロトコル（ＶｏＩＰ）が要求されたかどうかを判定することと、 
省電力モード（ＰＳＭ）が要求されたどうかを判定することと、 
前記ＶｏＩＰ及びＰＳＭの両方が要求された場合に、前記ＤＬステータス及び前記ＵＬステータスの両方を、前記通話期間を示すようにセットすることを含むオペレーションを、機械にアクセスされた場合に該機械に実行させるデータを含むことを特徴とする［１８］に記載の製品。 
［２０］前記機械に前記第１のＰＳＣのモードに入ることを実行させる前記データは、 
第１のＰＳＭプロトコルに従って、スリープインターバル及びリスニングインターバルを維持することと、 
前記ＤＬステータスと前記ＵＬステータスとのうちの一つをアップデートすることと、 
前記ＤＬステータス及び前記ＵＬステータスの両方が前記無音期間を示す場合に、前記第１のＰＳＭプロトコルに従って、前記スリープインターバル及び前記リスニングインターバルを維持することを継続することと、 
前記ＤＬステータスと前記ＵＬステータスとのうちの少なくとも一つが前記通話期間を示す場合に、前記第２のＰＳＣのモードに入るために、前記第１のＰＳＣモードから抜け出すことを含むオペレーションを、機械にアクセスされた場合に該機械に実行させるデータを含むことを特徴とする［１８］に記載の製品。 
［２１］前記機械に前記ＤＬステータスと前記ＵＬステータスとのうちの一つをアップデートすることを実行させる前記データは、 
無音挿入記述子（ＳＩＤ）フレーム又はボイスパケットをバッファすることと、 
前記ボイスパケットが受信又は送信された場合に、前記ＢＳでの又は前記ＭＳでの前記ＤＬステータスと前記ＵＬステータスとのうちの一つをアップデートすることと、 
前記リスニングインターバル中に、前記バッファされたＳＩＤフレーム又は前記バッファされたボイスパケットを送信することを含むオペレーションを、機械にアクセスされた場合に該機械に実行させるデータを含むことを特徴とする［２０］に記載の製品。 
［２２］前記機械に前記第２のＰＳＣのモードに入ることを実行させる前記データは、
第２のＰＳＭプロトコルに従って、スリープインターバル及びリスニングインターバルを維持することと、 
前記ＤＬステータスと前記ＵＬステータスとのうちの一つをアップデートすることと、 
前記ＤＬステータスと前記ＵＬステータスとのうちの少なくとも一つが前記通話期間を示す場合に、前記第２のＰＳＭプロトコルに従って、前記スリープインターバル及び前記リスニングインターバルを維持することを継続することと、 
前記ＤＬステータス及び前記ＵＬステータスの両方が前記無音期間を示す場合に、前記第１のＰＳＣのモードに入るために、前記第２のＰＳＣモードから抜け出すことを含むオペレーションを、機械にアクセスされた場合に該機械に実行させるデータを含むことを特徴とする［１８］に記載の製品。 
［２３］基地局（ＢＳ）と移動局（ＭＳ）との間の通信中に、該ＢＳ及び該ＭＳにそれぞれ関連するダウンリンク（ＤＬ）ステータス及びアップリンク（ＵＬ）ステータスを使用して、省電力のために該ＢＳと該ＭＳとのうちの少なくとも一つを初期化するための手段と、 前記ＤＬステータス及び前記ＵＬステータスの両方が無音期間を示す場合に、第１のＰＳＣのモードに入るための手段と、 
前記ＤＬステータスと前記ＵＬステータスとのうちの少なくとも一つが通話期間を示す場合に、第２のＰＳＣのモードに入るための手段とを含むことを特徴とする装置。 
［２４］前記初期化するための手段は、 
ボイスオーバーインターネットプロトコル（ＶｏＩＰ）が要求されたかどうかを判定するための手段と、 
省電力モード（ＰＳＭ）が要求されたどうかを判定するための手段と、 
前記ＶｏＩＰ及びＰＳＭの両方が要求された場合に、前記ＤＬステータス及び前記ＵＬステータスの両方を、前記通話期間を示すようにセットするための手段とを含むことを特徴とする［２３］に記載の装置。 
［２５］前記第１のＰＳＣのモードに入るための手段は、 
第１のＰＳＭプロトコルに従って、スリープインターバル及びリスニングインターバルを維持するための手段と、 
前記ＤＬステータスと前記ＵＬステータスとのうちの一つをアップデートするための手段と、 
前記ＤＬステータス及び前記ＵＬステータスの両方が前記無音期間を示す場合に、前記第１のＰＳＭプロトコルに従って、前記スリープインターバル及び前記リスニングインターバルを維持することを継続するための手段と、 
前記ＤＬステータスと前記ＵＬステータスとのうちの少なくとも一つが前記通話期間を示す場合に、前記第２のＰＳＣのモードに入るために、前記第１のＰＳＣモードから抜け出すための手段とを含むことを特徴とする［２３］に記載の装置。 
［２６］前記ＤＬステータスと前記ＵＬステータスとのうちの一つをアップデートするための手段は、 
無音挿入記述子（ＳＩＤ）フレーム又はボイスパケットをバッファするための手段と、 
前記ボイスパケットが受信又は送信された場合に、前記ＢＳでの又は前記ＭＳでの前記ＤＬステータスと前記ＵＬステータスとのうちの一つをアップデートするための手段と、 
前記リスニングインターバル中に、前記バッファされたＳＩＤフレーム又は前記バッファされたボイスパケットを送信するための手段とを含むことを特徴とする［２５］に記載の装置。 
［２７］前記ＢＳでの前記ＤＬステータスと前記ＵＬステータスとのうちの一つをアップデートするための手段は、 
前記ＢＳが前記ボイスパケットを前記ＭＳへ送信する場合に、前記ＤＬステータスを、前記通話期間を示す通話状態にセットするための手段と、 
前記ＢＳが前記ボイスパケットを前記ＭＳから受信する場合に、前記ＵＬステータスを、前記通話状態にセットするための手段とを含むことを特徴とする［２６］に記載の装置。 
［２８］前記ＭＳでの前記ＤＬステータスと前記ＵＬステータスとのうちの一つをアップデートするための手段は、 
前記ＭＳが前記ボイスパケットを前記ＢＳから受信する場合に、前記ＤＬステータスを、前記通話期間を示す通話状態にセットするための手段と、 
前記ＭＳが前記ボイスパケットを前記ＢＳへ送信する場合に、前記ＵＬステータスを、前記通話状態にセットするための手段とを含むことを特徴とする［２６］に記載の装置。 
［２９］前記第２のＰＳＣのモードに入るための手段は、 
第２のＰＳＭプロトコルに従って、スリープインターバル及びリスニングインターバルを維持するための手段と、 
前記ＤＬステータスと前記ＵＬステータスとのうちの一つをアップデートするための手段と、 
前記ＤＬステータスと前記ＵＬステータスとのうちの少なくとも一つが前記通話期間を示す場合に、前記第２のＰＳＭプロトコルに従って、前記スリープインターバル及び前記リスニングインターバルを維持することを継続するための手段と、 
前記ＤＬステータス及び前記ＵＬステータスの両方が前記無音期間を示す場合に、前記第１のＰＳＣのモードに入るために、前記第２のＰＳＣモードから抜け出すための手段とを含むことを特徴とする［２３］に記載の装置。 
［３０］前記ＤＬステータスと前記ＵＬステータスとのうちの一つをアップデートするための手段は、 
前記ＢＳでの又は前記ＭＳでの前記ＤＬステータスと前記ＵＬステータスとのうちの一つをアップデートするための手段を含むことを特徴とする［２９］に記載の装置。 
［３１］前記ＢＳでの前記ＤＬステータスと前記ＵＬステータスとのうちの一つをアップデートするための手段は、 
前記ＢＳが無音挿入記述子（ＳＩＤ）フレームを前記ＭＳへ送信する場合には、前記ＤＬステータスを、前記無音期間を示す無音状態にセットするための手段と、 
前記ＢＳが前記ＳＩＤフレームを前記ＭＳから受信する場合には、前記ＵＬステータスを、前記無音状態にセットするための手段と、 
前記ＢＳがボイスパケットを前記ＭＳへ送信する場合には、前記ＤＬステータスを、前記通話期間を示す通話状態にセットするための手段と、 
前記ＢＳがボイスパケットを前記ＭＳから受信する場合には、前記ＵＬステータスを、前記通話状態にセットするための手段とを含むことを特徴とする［３０］に記載の装置。 
［３２］前記ＭＳでの前記ＤＬステータスと前記ＵＬステータスとのうちの一つをアップデートするための手段は、 
前記ＭＳが無音挿入記述子（ＳＩＤ）フレームを前記ＢＳから受信する場合には、前記ＤＬステータスを、前記無音期間を示す無音状態にセットするための手段と、 
前記ＭＳが前記ＳＩＤフレームを前記ＢＳへ送信する場合には、前記ＵＬステータスを、前記無音状態にセットするための手段と、 
前記ＭＳがボイスパケットを前記ＢＳから受信する場合には、前記ＤＬステータスを、前記通話期間を示す通話状態にセットするための手段と、 
前記ＭＳがボイスパケットを前記ＢＳへ送信する場合には、前記ＵＬステータスを、前記通話状態にセットするための手段とを含むことを特徴とする［３０］に記載の装置。 
［３３］前記第１のＰＳＣモードは、ベストエフォート（ＢＥ）又は非リアルタイム可変レート（ＮＲＴ−ＶＲ）コネクションをサポートし、前記第２のＰＳＣモードは、アンソリシテッド・グラント・サービス（ＵＧＳ）、リアルタイム可変レート（ＲＴ−ＶＲ）、又は拡張リアルタイム可変レート（ＥＲＴ−ＶＲ）コネクションをサポートすることを特徴とする［２３］に記載の装置。 
［３４］ＩＥＥＥ ８０２．１６ｅ標準に従って、前記第１のＰＳＣモードは、ＰＳＣ type Iに対応し、前記第２のＰＳＣモードは、ＰＳＣ type IIに対応することを特徴とする［２３］に記載の装置。 
［３５］直交周波数分割多元接続（ＯＦＤＭＡ）無線通信において基地局（ＢＳ）へ及びから無線信号を送信及び受信するための無線周波数（ＲＦ）送受信機と、 
省電力コントローラとを備え、 
前記省電力コントローラは、 
ダウンリンク（ＤＬ）ステータス及びアップリンク（ＵＬ）ステータスを使用して、省電力のために初期化をするためのイニシャライザと、 
前記ＤＬステータス及び前記ＵＬステータスの両方が無音期間を示す場合に、第１のＰＳＣのモードをアクティブにするための前記イニシャライザに結合された第１のコントローラと、 
前記ＤＬステータスと前記ＵＬステータスとのうちの少なくとも一つが通話期間を示す場合に、第２のＰＳＣのモードをアクティブにするための前記イニシャライザに結合された第２のコントローラとを含むことを特徴とする移動局。 
［３６］前記第１のコントローラは、 
前記ＤＬステータス及び前記ＵＬステータスの両方が前記無音期間を示す場合に、第１のＰＳＭプロトコルに従って、スリープインターバル及びリスニングインターバルを維持することを継続する維持モジュールと、 
前記ＤＬステータスと前記ＵＬステータスとのうちの一つをアップデートするアップデーターとを含むことを特徴とする［３５］に記載のＭＳ。 
［３７］前記第２のコントローラは、 
前記ＤＬステータスと前記ＵＬステータスとのうちの少なくとも一つが前記通話期間を示す場合に、第２のＰＳＭプロトコルに従って、スリープインターバル及びリスニングインターバルを維持する維持モジュールと、 
前記ＤＬステータスと前記ＵＬステータスとのうちの一つをアップデートするアップデーターとを含むことを特徴とする［３５］に記載のＭＳ。
【図１】
0005425990.tif 000005
【図２】
0005425990.tif 000006
【図３】
0005425990.tif 000007
【図４】
0005425990.tif 000008
【図５】
0005425990.tif 000009
【図６Ａ】
0005425990.tif 000010
【図６Ｂ】
0005425990.tif 000011
【図７】
0005425990.tif 000012
【図８】
0005425990.tif 000013
【図９Ａ】
0005425990.tif 000014
【図９Ｂ】
0005425990.tif 000015
【図１０】
0005425990.tif 000016
【図１１】
0005425990.tif 000017
【図１２】
0005425990.tif 000018
【図１３】
0005425990.tif 000019
【図１４】
0005425990.tif 000020